(57)【要約】  １又は複数のセルを有して端末装置と無線通信をする基地局装置であって、他の基地局装置から前記端末装置との無線通信における信号処理に用いられる通信条件を受信する手段と、前記他の基地局装置から受信した通信条件を受信した場合に、前記他の基地局装置と協調して前記端末装置との無線通信を行う協調通信に移行する手段と、前記協調通信において、前記他の基地局装置から受信した通信条件を用いて前記端末装置との無線通信を行う手段と、を有する。
2012132016.tif 000002
【特許請求の範囲】
【請求項１】
端末装置と、１又は複数のセルを有する第１及び第２の基地局装置とを用いて無線通信を行う通信システムであって、
前記第１の基地局装置は、
他の基地局である前記第２の基地局装置と協調して前記端末装置との協調通信を行う場合に、前記端末装置との無線通信における送受信信号処理に用いられる通信条件等を、前記第２の基地局装置へ送信する手段と、
多地点協調状態において、前記通信条件を用いて前記端末装置との無線通信を行う手段と、を有し、
前記第２の基地局装置は、
前記第１の基地局装置から前記通信条件を受信する手段と、
前記第１の基地局装置からの通信条件を受信した場合に、前記第１の基地局装置と協調して前記端末装置との無線通信を行う協調通信に移行する手段と、
前記協調通信において、前記第１の基地局装置からの通信条件を用いて前記端末装置との無線通信を行う手段と、を有することを特徴とする通信システム。
【請求項２】
前記通信条件には前記端末装置との通信に関連付けられる識別情報が含まれており、
前記通信条件を用いた前記第１の基地局装置及び前記第２の基地局装置における無線通信では、前記識別情報に基づいて取得されるスクランブリングコードを用いて、前記端末装置との無線通信におけるデータに対して信号処理を行う、ことを特徴とする請求項１に記載の通信システム。
【請求項３】
前記通信条件には前記第１の基地局装置が有するセルであって前記端末装置との無線通信に用いられているセルを識別するセル情報がさらに含まれており、
前記第２の基地局装置は、
前記スクランブリングコードの取得において、前記第１の基地局から受信した通信条件に含まれる前記セル情報と前記識別情報とを用いて前記スクランブリングコードを算出する、ことを特徴とする請求項２に記載の通信システム。
【請求項４】
前記第１の基地局装置と前記第２の基地局装置とは、多地点協調状態において、各基地局装置間で異なるデータに対して同一の前記スクランブリングコードを用いてスクランブリング／デスクランブリングする、ことを特徴とする請求項２又は３に記載の通信システム。
【請求項５】
前記第１の基地局装置は、
前記第２の基地局装置へ送信する内容と重複する内容を有する前記通信条件を、前記協調通信に移行する前記端末装置へ送信する手段を有し、
前記端末装置は、
前記第１の基地局装置からの前記通信条件を受信する手段と、
前記第１の基地局装置からの通信条件を受信した場合に、前記第１及び第２の基地局装置との無線通信を行う前記協調通信に移行する手段と、
前記協調通信において、前記第１の基地局装置からの通信条件を用いて前記第１及び第２の基地局装置との無線通信を行う手段と、を有することを特徴とする請求項１乃至４の何れか１項に記載の通信システム。
【請求項６】
１又は複数のセルを有して端末装置と無線通信をする基地局装置であって、
他の基地局装置と協調して前記端末装置との無線通信を行う協調通信に移行する場合に、前記端末装置との無線通信における変復調処理に用いられる通信条件を、前記他の基地局装置に送信する手段と、
前記協調通信において、前記通信条件を用いて前記端末装置との無線通信を行う手段と、を有することを特徴とする基地局装置。
【請求項７】
１又は複数のセルを有して端末装置と無線通信をする基地局装置であって、
他の基地局装置から前記端末装置との無線通信における信号処理に用いられる通信条件を受信する手段と、
前記他の基地局装置から受信した通信条件を受信した場合に、前記他の基地局装置と協調して前記端末装置との無線通信を行う協調通信に移行する手段と、
前記協調通信において、前記他の基地局装置から受信した通信条件を用いて前記端末装置との無線通信を行う手段と、を有することを特徴とする基地局装置。
【請求項８】
１又は複数のセルを有する第１及び第２の基地局装置と無線通信を行う端末装置であって、
前記第１の基地局装置から前記第２の基地局装置へ送信される内容と重複する内容を有する通信条件を、前記第１の基地局装置から受信する手段と、
前記第１の基地局装置からの前記通信条件を受信した場合に、前記第１及び第２の基地局装置との無線通信を行う前記協調通信に移行する手段と、
多地点協調状態において、前記第１の基地局装置からの前記通信条件を用いて前記第１及び第２の基地局装置との無線通信を行う手段と、
を有することを特徴とする端末装置。
【請求項９】
端末装置と、１又は複数のセルを有する第１及び第２の基地局装置とを用いて無線通信を行う通信方法であって、
前記第１の基地局装置に、他の基地局である前記第２の基地局装置と協調して前記端末装置との無線通信を行う協調通信に移行する場合に、前記端末装置との無線通信における変復調処理に用いられる通信条件を、前記第２の基地局装置へ送信させ、
前記第１の基地局装置に、前記協調通信において、前記通信条件を用いて前記端末装置との無線通信を実行させ、
前記第２の基地局装置に、前記第１の基地局装置から前記通信条件を受信させ、
前記第２の基地局装置に、前記第１の基地局装置からの通信条件を受信した場合に、前記第１の基地局装置と協調して前記端末装置との無線通信を行う協調通信に移行させ、
前記第２の基地局装置に、前記協調通信において、前記第１の基地局装置から受信した通信条件を用いて前記端末装置との無線通信を実行させる、ことを特徴とする通信方法。
【発明の詳細な説明】
【技術分野】
【０００１】
本発明は、通信システム、基地局装置、端末装置、及び通信方法に関する。
【背景技術】
【０００２】
現在では、３ＧＰＰ（３ｒｄ  Ｇｅｎｅｒａｔｉｏｎ  Ｐａｒｔｎｅｒｓｈｉｐ  Ｐｒｏｊｅｃｔ）において、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）システム、ＬＴＥ（Ｌｏｎｇ  Ｔｅｒｍ  Ｅｖｏｌｕｔｉｏｎ）システム及びＬＴＥ−Ａｄｖａｎｃｅｄシステムの仕様が検討されている。【０００３】
Ｗ−ＣＤＭＡシステムは、既にＨＳＤＰＡ（Ｗ−ＣＤＭＡ  Ｒｅｌｅａｓｅ（以後、「Ｒｅｌ'」と略す）５）やＨＳＰＡ（ＨＳＤＰＡ＋ＨＳＵＰＡ  Ｗ−ＣＤＭＡ  Ｒｅｌ'６）として既にサービスされており、その改良版であるＲｅｌ'１０の検討が３ＧＰＰにおいて検討されている。また、ＬＴＥは、ＬＴＥ  Ｒｅｌ'８として仕様が策定されている。また、最近では、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）の機能が追加されたＬＴＥ  Ｒｅｌ'９の仕様も策定され、現在ＬＴＥシステムの発展形であるＬＴＥ−Ａｄｖａｎｃｅｄシステムの仕様がＬＴＥ  Ｒｅｌ'１０として検討され、仕様の策定が進められている。【０００４】
更に、ＬＴＥ  Ｒｅｌ'１１の検討も開始されている。このＬＴＥ  Ｒｅｌ'１１で導入が検討されている技術に一つにとして、ＣｏＭＰ（Ｃｏｏｒｄｉｎａｔｅ  Ｍｕｌｔｉ  Ｐｏｉｎｔ  ｔｒａｎｓｍｉｓｓｉｏｎ  ａｎｄ  ｒｅｃｅｐｔｉｏｎ）の導入がある（例えば、非特許文献１及び２参照）。【０００５】
ここで、ＣｏＭＰは、例えば非特許文献２に記載されているように、Ｎｅｔｗｏｒｋ  ＭＩＭＯ（Ｍｕｌｔｉｐｌｅ  Ｉｎｐｕｔ  Ｍｕｌｔｉｐｌｅ  Ｏｕｔｐｕｔ）やＳＤＭ（Ｓｐａｔｉａｌ  Ｄｉｖｉｓｉｏｎ  Ｍｕｌｔｉｐｌｅｘ：空間多重）、ＩＣＩＣ（Ｉｎｔｅｒ  Ｃｅｌｌ  Ｉｎｔｅｒｆｅｒｅｎｃｅ  Ｃｏｏｒｄｉｎａｔｉｏｎ；干渉制御）等を目的としている。したがって、上記の目的によって実施形態が異なる。例えば下り伝送においては、ＪＰ（Ｊｏｉｎｔ  Ｐｒｏｃｅｓｓｉｎｇ）とＣＳ／ＣＢ（Ｃｏｏｒｄｉｎａｔｅ  Ｓｃｈｅｄｕｌｉｎｇ／Ｃｏｏｒｄｉｎａｔｅ  Ｂｅａｍｆｏｒｍｉｎｇ）等が検討されている。また、上り伝送では、ＪＲ（Ｊｏｉｎｔ  Ｒｅｃｅｐｔｉｏｎ）とＣＳ（Ｃｏｏｒｄｉｎａｔｅ  Ｓｃｈｅｄｕｌｉｎｇ）等が検討されている。【０００６】
また、ＬＴＥ−Ａｄｖａｎｃｅｄシステムは、ＬＴＥシステムを拡張するものであり、ＬＴＥシステムとコンパチビリティが要求されている。すなわち、ＬＴＥ仕様が変更されず継続される箇所もある。特に、ベースバンドの信号処理（いわゆるＣｈａｎｎｅｌ  ｃｏｄｉｎｇ）を変更すると、装置の作り直しとなるため、ＬＴＥシステムとのコンパチビリティが必要である。すなわち、ベースバンドの信号処理は基本的にＬＴＥ仕様と同一又はＬＴＥ仕様をベースとしたものとしなければならない。【０００７】
ＬＴＥシステム及びＬＴＥ−Ａｄｖａｎｃｅｄシステムでは、データの下り伝送では、無線チャネルとしてＰＤＳＣＨ（Ｐｈｙｓｉｃａｌ  Ｄｏｗｎｌｉｎｋ  Ｓｈａｒｅｄ  ＣＨａｎｎｅｌ）やＰＭＣＨ（Ｐｈｙｓｉｃａｌ  Ｍｕｌｔｉｃａｓｔ  ＣＨａｎｎｅｌ）が用いられる（例えば、非特許文献３参照）。【０００８】
例えば、下り送信における信号処理は、ＬＴＥ仕様に対応して実施される。具体的には、まず送信データ（ｂｉｔ）をスクランブリングする。更に、スクランブリングしたデータ（ｂｉｔ）を変調方式に合わせてマッピングしシンボルを作成する。例えばＱＰＳＫであれば、２ｂｉｔをＩチャネルとＱチャネルにマッピングし１シンボルを作成する。なお、上述したスクランブリングを用いた通信技術は、存在する（例えば、特許文献１及び２参照）。【０００９】
更に、複数系列のデータ（例えば、ＩＱにマッピングされたシンボル）をそれぞれ、レイヤ（端的にＭＩＭＯのストリームに相当）にマッピングする。更に、ＭＩＭＯの場合には、複数のＰＤＳＣＨのシンボルに対してＰｒｅｃｏｄｉｎｇ  Ｍａｔｒｉｘを乗算する。無線チャネルＰｈｙＣＨ（例えば、ＰＤＳＣＨ）またはＰＭＣＨ）にシンボルをマッピングする。最後にＯＦＤＭ信号に変換する。【００１０】
なお、ＰＤＳＣＨを用いたＣｏＭＰ（Ｃｏｏｒｄｉｎａｔｅ  Ｍｕｌｔｉ  Ｐｏｉｎｔ；多地点協調）伝送においては、基地局間で異なるスクランブリングコードを用いてスクランブリングを実施した場合、スクランブリングされた情報を受信する端末において、スクランブリングを解く際に異なるスクランブリングコードを用いて解く技術が存在する（例えば、特許文献３及び４参照）。なお、スクランブリングを解くことをデスクランブリングと呼んでいる。また、無線通信システムにおいて、一つの送信機から複数の受信機に対して送信する技術や複数の基地局に対して共同でコーディングする技術が存在する（例えば、特許文献５及び６参照）。
【先行技術文献】
【特許文献】
【００１１】
【特許文献１】特開２００６−３１１４７５号公報
【特許文献２】特開２００８−０９２３７９号公報
【特許文献３】国際公開第２０１０／１４６６１７号パンフレット
【特許文献４】国際公開第２０１１／００１４５８号パンフレット
【特許文献５】特表２００４−５３１９４５号公報
【特許文献６】特表２００９−５１６９３６号公報
【非特許文献】
【００１２】
【非特許文献１】ＴＲ３６．９１２Ｖ９．３．０  "Ｆｅａｓｉｂｉｌｉｔｙ  ｓｔｕｄｙ  ｆｏｒ  Ｆｕｒｔｈｅｒ  Ａｄｖａｎｃｅｍｅｎｔｓ  ｆｏｒ  Ｅ−ＵＴＲＡＮ（ＬＴＥ−Ａｄｖａｎｃｅｄ）  （Ｒｅｌｅａｓｅ  ９）"
【非特許文献２】ＴＲ３６．８１４Ｖ９．０．０  "Ｆｕｒｔｈｅｒ  Ａｄｖａｎｃｅｍｅｎｔｓ  ｆｏｒ  Ｅ−ＵＴＲＡＮ  Ｐｈｙｓｉｃａｌ  Ｌａｙｅｒ  Ａｓｐｅｃｔｓ  （Ｒｅｌｅａｓｅ  ９）"
【非特許文献３】ＴＳ３６．２１１Ｖ９．１．０  "Ｐｈｙｓｉｃａｌ  Ｃｈａｎｎｅｌ  ａｎｄ  Ｍｏｄｕｌａｔｉｏｎ  （Ｒｅｌｅａｓｅ  ９）"
【発明の概要】
【発明が解決しようとする課題】
【００１３】
ところで、異なるセルからある端末に対してＣｏＭＰ送信を実施する場合には、上述したスクランブリングコードの初期値が異なる。すなわち、端末のセル番号（セル毎に設定）、物理セルＩＤ及びスロット番号（設定範囲は、同じだがセル間で同一とは限らない）は、セルによって異なる。その結果、セル間でスクランブリングコードの初期値が異なり、その結果としてセル間のスクランブリングコードが異なる。つまり、ＣｏＭＰ送信の信号処理においてはセル間で異なるスクランブリングを実施することとなる。【００１４】
すなわち、端末及び基地局においては、異なる複数のスクランブリングコードを作成し、これらを用いて信号処理（スクランブリングリング／デスクランブリング）を実施する必要があり、制御及び処理が複雑となる。【００１５】
なお、上述では下りＣｏＭＰを用いて説明したが、上りＣｏＭＰ送信を実施する場合（すなわち、ある一つの端末から複数のセルへ送信する場合、各セルのセルＩＤ、端末番号及びスロット番号を用いて複数のスクランブリングコードを作成しスクランブリングを実施する必要が生じる。【００１６】
しかしながら、上述した従来技術等では、上述した問題を解決するための手法が提案されていない。例えば、ＰＤＳＣＨを用いたＣｏＭＰ伝送において、スクランブリングされた情報を受信する端末は、スクランブリングを解く際に、異なるスクランブリングコードを用いて解く必要が生じ、処理が複雑になり処理時間が長くなってしまう恐れがある。【００１７】
そこで、開示の技術は、上記問題点に鑑みてなされたものであり、端末装置又は基地局装置において処理の軽減を図るようにした通信システム、基地局装置、端末装置、及び通信方法を提供することを目的とする。
【課題を解決するための手段】
【００１８】
開示の一態様の通信システムは、端末装置と、１又は複数のセルを有する第１及び第２の基地局装置とを用いて無線通信を行う通信システムであって、前記第１の基地局装置は、他の基地局である前記第２の基地局装置と協調して前記端末装置との協調通信を行う場合に、前記端末装置との無線通信における送受信信号処理に用いられる通信条件等を、前記第２の基地局装置へ送信する手段と、多地点協調状態において、前記通信条件を用いて前記端末装置との無線通信を行う手段と、を有し、前記第２の基地局装置は、前記第１の基地局装置から前記通信条件を受信する手段と、前記第１の基地局装置からの通信条件を受信した場合に、前記第１の基地局装置と協調して前記端末装置との無線通信を行う協調通信に移行する手段と、前記協調通信において、前記第１の基地局装置からの通信条件を用いて前記端末装置との無線通信を行う手段と、を有する。
【発明の効果】
【００１９】
開示の技術によれば、端末装置又は基地局装置において処理の軽減を図ることができる。
【図面の簡単な説明】
【００２０】
【図１】第１の実施形態における無線通信システムの構成例を示す図。
【図２】第１の実施形態におけるマスタ基地局のブロック構成例を示す図。
【図３】第１の実施形態におけるスレーブ基地局のブロック構成例を示す図。
【図４】第１の実施形態における端末の構成例を示す図。
【図５】第１の実施形態における端末の構成例（変形例１）を示す図。
【図６】スクランブリングコード作成部の構成例を示す図。
【図７】第１の実施形態における通信処理例を示すシーケンス。
【図８】第１の実施形態における通信処理例（変形例１）を示すシーケンス。
【図９】第１の実施形態における通信処理例（変形例２）を示すシーケンス。
【図１０】第１の実施形態における通信処理例（変形例３）を示すシーケンス
【図１１】第１の実施形態における通信処理例（変形例４）を示すシーケンス。
【図１２】第１の実施形態における通信処理例（変形例５）を示すシーケンス
【図１３】第５の実施形態における無線通信システムの構成例を示す図。
【図１４】第５の実施形態におけるマスタ基地局のブロック構成例を示す図。
【図１５】第５の実施形態における通信処理例を示すシーケンス。
【図１６】第５の実施形態における通信処理例（変形例１）を示すシーケンス。
【図１７】第５の実施形態における通信処理例（変形例２）を示すシーケンス。
【図１８】第５の実施形態における通信処理例（変形例３）を示すシーケンス。
【図１９】第６の実施形態におけるマスタ基地局のブロック構成例を示す図。
【図２０】第６の実施形態におけるスレーブ基地局のブロック構成例を示す図。
【図２１】第６の実施形態における端末の構成例を示す図。
【図２２】第６の実施形態における通信処理例を示すシーケンス。
【図２３】第６の実施形態における通信処理例（変形例１）を示すシーケンス。
【図２４】第６の実施形態における通信処理例（変形例２）を示すシーケンス。
【図２５】第７の実施形態におけるマスタ基地局のブロック構成例を示す図。
【図２６】第７の実施形態におけるマスタ基地局のブロック構成例（変形例１）を示す図
【図２７】第７の実施形態における端末の構成例を示す図。
【図２８】第７の実施形態における通信処理例を示すシーケンス。
【図２９】第７の実施形態における通信処理例（変形例１）を示すシーケンス。
【図３０】第７の実施形態における通信処理例（変形例２）を示すシーケンス。
【図３１】第７の実施形態における通信処理例（変形例３）を示すシーケンス。
【図３２】第８の実施形態における通信処理例を示すシーケンス。
【図３３】第８の実施形態における通信処理例（変形例１）を示すシーケンス。
【図３４】第１２の実施形態における通信処理例を示すシーケンス。
【図３５】第１２の実施形態における通信処理例（変形例１）を示すシーケンス。
【符号の説明】
【００２１】
１０  無線通信システム
１００  基地局装置
１０１，２０１  アンテナ部
１０２，２０２  受信無線部
１０３，２０３  復調・復号部
１０４  無線回線品質情報抽出部
１０５  スケジューラ
１０６  ＣｏＭＰ通信要求信号抽出部
１０７  ＣｏＭＰ通信実施判定及び制御部
１０８  接続要求信号抽出部
１０９  無線回線制御部
１１０  ＲＮＴＩ設定部
１１１  ＣｏＭＰ−ＲＮＴＩ設定部
１１２，２０８  スクランブリングコード作成部
１１３  システム情報作成部
１１４  送信データバッファ
１１５  制御信号作成部
１１６，２１４  符号化・変調部
１１７，２１５  送信無線部
１１８無線回線品質測定算出部
１１９  ＣｏＭＰ通信制御部
１２０  オフセット設定／記憶部
２００  端末装置
２０４  算出部
２０５  無線回線品質情報作成部
２０６  セル情報抽出部
２０７  ＣｏＭＰ−ＲＮＴＩ抽出部
２０９  受信制御信号抽出部
２１０  端末設定制御部
２１１  受信電力測定部
２１２  回線接続制御部
２１３  接続要求信号作成部
２１６  スロット番号抽出部
２１７  システム情報抽出部
２１８  送信／受信制御部
２１９  パイロット作成部
２２０  オフセット情報抽出部
３００  ＭＭＥ
３０１  モビリティ管理部
３０２  ＣｏＭＰ制御部
【発明を実施するための形態】
【００２２】
以下、図面に基づいて実施形態を説明する。
【００２３】
＜第１の実施形態＞
＜無線通信システム構成＞
図１は、第１の実施形態における無線通信システムの構成例を示す図である。図１に示す無線通信システム１０Ａは、２つの基地局装置（ｅＮＢ：ｅｖｏｌｖｅｄ  Ｎｏｄｅ  Ｂ、以下「基地局」という）１００−１，１００−２と、端末装置（ＵＥ：Ｕｓｅｒ  Ｅｑｕｉｐｍｅｎｔ、以下「端末」という）２００とを有する。基地局１００−１，１００−２は異なるデータを送信し、端末２００はこれを受信する（下り方向）。また、端末２００は、異なるデータを基地局１００−１，１００−２に送信することもできる（上り方向）。基地局１００−１，１００−２と端末２００は、共にいわゆるＣｏＭＰ通信を行うことができる。
【００２４】
なお、図１では、下り方向における無線通信システム１０Ａの構成例を示している。２つの基地局１００−１，１００−２のうち、基地局１００−１はマスタ基地局（主たる基地局、サービング基地局、第１の基地局、Ｓｅｒｖｉｎｇ  ｃｅｌｌ）、基地局１００−２はスレーブ基地局（従たる基地局、ノンサービング基地局、第２の基地局、Ｎｏｎ−ｓｅｒｖｉｎｇ  ｃｅｌｌ）である。マスタ基地局１００−１は、例えばＣｏＭＰ送信を実施する前に端末２００と接続中の基地局であり、スレーブ基地局１００−２は、例えばＣｏＭＰ送信を実施する基地局である。マスタ基地局１００−１は制御信号を端末２００に送信する。端末２００は、制御信号に基づいて、マスタ基地局１００−１とスレーブ基地局１００−２とから送信された異なる送信データ（ＤＳＣＨ）を受信する。
【００２５】
＜第１の実施形態＞
ここで、第１の実施形態について説明する。第１の実施形態では、例えば、ある端末（ＵＥ）は、あるセル（例えば、セル１）に接続し、接続したセル１を構成する基地局（例えば、マスタ基地局（ｅＮＢ１））から、例えばＣ−ＲＮＴＩ（又はＲＮＴＩ（Ｒａｄｉｏ  Ｎｅｔｗｏｒｋ  Ｔｅｍｐｏｒａｌｌｙ  Ｉｄｅｎｔｉｆｉｅｒ）、以後、「ＲＮＴＩ」とする）を使用するよう通知を受け、端末は、ＲＮＴＩを使用しているとする。
【００２６】
この状態において、第１の実施形態では、例えば他のセル（例えば、セル２）と無線回線品質（例えば、受信品質や受信電界強度等）とを基に、セル２についても通信可能と判断する。その場合には、端末又は基地局からＣｏＭＰ送信の要求があり、ＣｏＭＰ送信が可能と判断された場合、元から接続しているセル１の基地局は、既に通知されているＲＮＴＩとは別に、新たにＣｏＭＰ伝送用のＲＮＴＩであるＣｏＭＰ−ＲＮＴＩ（ＣｏＭＰ伝送用端末識別情報）を、端末に通知する。つまり、第１の実施形態では、複数の基地局から端末に対して、データを同時又は時間で切り換えて送信する場合に対してのみ使用される端末識別情報を設定する。
【００２７】
通知を受けた端末は、ＣｏＭＰ伝送の際には、ＣｏＭＰ−ＲＮＴＩを用いる。なお、今まで使用していたＲＮＴＩは、未使用とし保持してもよく、また破棄してもよい。ここで、今まで使用していたＲＮＴＩを保持している場合は、ＣｏＭＰ伝送が不可能になり、通常のデータ伝送となったときに再び使用する。また、破棄する場合は、通常のデータ伝送を再び行う場合、新たに前の基地局（ｅＮＢ１）又は他の基地局（例えば、ｅＮＢｎ）から通知されたＲＮＴＩを使用する。
【００２８】
更に、セル１のシステム情報（例えば、セルＩＤ（Ｃｅｌｌ  ＩＤ）、スロット番号、ＣｏＭＰ−ＲＮＴＩ）をセル２の基地局（例えば、スレーブ基地局（ｅＮＢ２））に対して通知する。
【００２９】
ここで、上述したＣｏＭＰ−ＲＮＴＩは、例えば基地局が、予め設定された複数のＣｏＭＰ−ＲＮＴＩの中から選択する。なお、予め設定された複数のＣｏＭＰ−ＲＮＴＩは、例えば無線通信システムや、無線ネットワーク、無線通信サービスを提供するオペレータ、及び基地局間で同一のものとしてもよく、また異なるものとしてもよい。
【００３０】
マスタ基地局は、ＣｏＭＰ−ＲＮＴＩ（ｎＣｏＭＰ−ＲＮＴＩ）と、セルＩＤ（ＮＩＤｃｅｌｌ）と、スロット番号（ｎｓ）とから、以下に示す（１）式を用いてスクランブルコードの初期値ｃｉｎｉｔを算出する。
【００３１】
【数１】
2012132016.tif 000003
なお、ｑは定数である。また、上述した（１）式を用いて算出した初期値を用いて、以下の式（２）からスクランブリングコードを作成する。
【００３２】
【数２】
2012132016.tif 000004
更に、以下に示す（３）式を用いて、送信データｂ（０），・・・，ｂ（Ｍｂｉｔ−１）と作成したスクランブリングコードを用いて、スクランブリングを実施し、
【００３３】
【数３】
2012132016.tif 000005
を得る。
【００３４】
【数４】
2012132016.tif 000006
同様に、ＣｏＭＰ−ＲＮＴＩ等を通知されたセル２のスレーブ基地局は、これらの情報に基づいて端末向けのデータをスクランブリングし送信する。
【００３５】
なお、第１の実施形態では、マスタ基地局とスレーブ基地局とから同時に異なるデータを送信してもよく、また時間的に切り換えてどちらか一方から異なる又は同じデータを送信してもよい（後述する他の例についても同様）。
【００３６】
これらを受信した端末は、マスタ基地局から通知されたＣｏＭＰ−ＲＮＴＩ等のシステム情報に基づいて、スクランブリングコードの初期値を算出し、スクランブリングコードを作成する。
【００３７】
更に、上述した（３）式を基にスクランブリングを解く（デスクランブリングする）ことで送信データを再生する。
【００３８】
このように、スクランブリングコードを作成するために必要な情報（ＣｏＭＰ−ＲＮＴＩ、（物理）セルＩＤ及びスロット番号）を基地局間で同一とすることで、一つのスクランブリングコードを作成するのみでよいこととなり、端末における処理を軽減できる。
【００３９】
なお、上述した実施形態では、下り送信の場合を例として示したが、これに限定されるものではなく、例えば端末における上りデータのスクランブリングについても同様に適用することができる。
【００４０】
更に、上述した動作の前段階として、ＣｏＭＰ送信可否の判断を行ってもよい。ここで、その具体例について説明する。例えば、ＣｏＭＰ送信実施前に接続中の基地局ｅＮＢ１をマスタ基地局として、ＣｏＭＰ送信制御を実施するものとする。また、ＣｏＭＰ送信を実施する基地局ｅＮＢ２をスレーブ基地局とする。
【００４１】
端末は、マスタ基地局及びスレーブ基地局に対してＣｏＭＰ送信を要求するか、マスタ基地局が端末及びスレーブ基地局に対してＣｏＭＰ送信を要求する。更に、ＣｏＭＰ要求にしたがってＣｏＭＰ送信の可否を判断するため、端末がスレーブ基地局との無線回線品質を測定した結果（例えば、無線回線品質指標ＣＱＩ２）を、スレーブ基地局を介してマスタ基地局に通知するか、端末からマスタ基地局に直接通知する。
【００４２】
通知を受けたマスタ基地局は、端末とマスタ基地局との無線回線品質指標ＣＱＩ１と上述のＣＱＩ２とを用いてＣｏＭＰ送信の可否を判断する。
【００４３】
ここで、ＣｏＭＰ送信可と判断した場合、マスタ基地局は、スレーブ基地局及び端末に対してＣｏＭＰ送信の実施を通知し、上記ＣｏＭＰ−ＲＮＴＩ、（物理）セルＩＤ（ＮＩＤｃｅｌｌ）及びスロット番号（ｎｓ）を通知する。その後、上述した信号処理を実施する。
【００４４】
なお、上述の説明では、一つの基地局の一つのサービスエリアに対して、一つの無線リソース（例えば一つの周波数）が割り当てられているとしている。よって、例えば４つの周波数で６個のセクタを構成する基地局の場合は、見かけは一つの基地局であるが、実際は２４の基地局であると解釈できる。
【００４５】
このような場合には、見かけの異なる二つの基地局でＣｏＭＰを実施する場合に加え、見かけは一つの基地局であってもセクタが異なれば、セクタ間でＣｏＭＰを実施できることになる。このような場合についても上述の手法を用いることができる。
【００４６】
＜第１の実施形態：マスタ基地局１００−１の構成例＞
次に、上述した第１の実施形態を実現するマスタ基地局１００−１のブロック構成例について図を用いて説明する。
【００４７】
図２は、第１の実施形態におけるマスタ基地局のブロック構成例を示す図である。図２に示すマスタ基地局１００−１は、アンテナ部１０１と、受信無線部１０２と、復調・復号部１０３と、無線回線品質情報抽出部１０４と、スケジューラ１０５と、ＣｏＭＰ通信要求信号抽出部１０６と、ＣｏＭＰ通信実施判定及び制御部（以下、「制御部」という）１０７と、接続要求信号抽出部１０８と、無線回線制御部１０９と、ＲＮＴＩ設定部１１０と、ＣｏＭＰ−ＲＮＴＩ設定部１１１と、スクランブリングコード作成部１１２と、システム情報作成部１１３と、送信データバッファ１１４と、制御信号作成部１１５と、符号化・変調部１１６と、送信無線部１１７とを有する。
【００４８】
なお、受信部とは、受信無線部１０２と、復調・復号部１０３と有するものとし、送信部とは、符号化・変調部１１６と、送信無線部１１７とを有するものとする。また、復調・復号部１０３は、デスクランブリング部を含み、符号化・変調部１１６は、スクランブル部を含むものとする。
【００４９】
アンテナ部１０１は、端末２００との間で無線信号の送受信を行う。受信無線部１０２は、アンテナ部１０１で受信した無線信号を受信信号として出力する。復調・復号部１０３は、受信無線部１０２から出力された受信信号に対して復調及び復号を行う。
【００５０】
無線回線品質情報抽出部１０４は、復調・復号部１０３から出力された受信信号から無線回線品質情報を抽出する。無線回線品質情報は、例えば端末２００から送信された情報である。また、無線回線品質情報抽出部１０４は、抽出した無線回線品質情報をスケジューラ１０５及び制御部１０７に出力する。
【００５１】
スケジューラ１０５は、無線回線品質情報抽出部１０４から出力された無線回線品質情報に基づいて、端末２００との下り方向の通信で使用される符号化率、変調方式等を決定する（スケジューリングを行う）。なお、スケジューラ１０５は、決定した符号化率等に関するスケジューリング情報を制御信号作成部１１５に出力する。また、スケジューラ１０５は、スケジューリング情報のうち使用無線リソースとプレコーディング情報（Ｐｒｅｃｏｄｉｎｎｇ情報）とをＣｏＭＰ制御信号としてスレーブ基地局１００−２に送信し、送信スロット番号をシステム情報作成部１１３とスクランブリングコード作成部１１２に出力する。なお、上述において無線リソースとは、ＬＴＥシステムでは時間領域及び周波数領域（すなわちサブキャリア）で構成されたグリッドであり、最小単位をＲＢ（Ｒｅｓｏｕｒｃｅ  Ｂｌｏｃｋ）と呼んでいる。
【００５２】
なお、スケジューラ１０５は、決定したスケジューリング情報に基づいて送信データに対する符号化処理等が行われるように符号化・変調部１１６と送信無線部１１７とを制御する。
【００５３】
ＣｏＭＰ通信要求信号抽出部１０６は、復調・復号部１０３から出力された受信信号のうち、ＣｏＭＰ通信要求信号を抽出する。ＣｏＭＰ通信要求信号は、例えば端末２００がＣｏＭＰ通信を行いたいときに端末２００から送信された信号である。
【００５４】
制御部１０７は、例えばＣｏＭＰ送信を実施するか否かを判定し、ＣｏＭＰ送信を実施すると判定したとき、ＣｏＭＰ送信実施通知をスレーブ基地局１００−２に通知する。なお、制御部１０７は、例えば、無線回線品質情報抽出部１０４から出力された無線回線品質と、隣接基地局（例えば、スレーブ基地局１００−２等）から送信された無線回線品質とに基づいて、ＣｏＭＰ送信を実施するか否かを判定する。なお、ＣｏＭＰ送信実施通知は、スケジューラ１０５と、無線回線制御部１０９と、システム情報作成部１１３とに出力される。ＣｏＭＰ送信の実施判定の詳細は後述する。
【００５５】
接続要求信号抽出部１０８は、復調等された受信信号から接続要求信号を抽出する。接続要求信号は、例えば、端末２００がマスタ基地局１００−１との間で回線接続の要求を行うときに使用される信号である。
【００５６】
無線回線制御部１０９は、接続要求信号抽出部１０８から接続要求信号を入力する。更に、無線回線制御部１０９は、制御部１０７からＣｏＭＰ送信実施通知を入力すると、例えば内部に保持された複数あるセル番号のうち何れかのセル番号と、ＣｏＭＰ−ＲＮＴＩ設定部１１１で設定されたＣｏＭＰ―ＲＮＴＩとを、スクランプリングコード作成部１１２及びシステム情報作成部１１３に出力する。また、無線回線制御部１０９は、制御部１０７からＣｏＭＰ送信実施通知を入力しなかった場合（つまり、ＣｏＭＰ送信しない場合）、例えば内部に保持された複数あるセル番号のうち何れかのセル番号と、ＲＮＴＩ設定部１１０で設定されたＲＮＴＩとを、スクランプリングコード作成部１１２及びシステム情報作成部１１３に出力する。
【００５７】
ＲＮＴＩ設定部１１０は、無線回線制御部１０９からのＲＮＴＩの設定要求に対応するＲＮＴＩを設定し、設定したＲＮＴＩを無線回線制御部１０９に出力する。
【００５８】
ＣｏＭＰ−ＲＮＴＩ設定部１１１は、無線回線制御部１０９からのＣｏＭＰ−ＲＮＴＩの設定要求に対応するＣｏＭＰ−ＲＮＴＩを設定し、設定したＣｏＭＰ−ＲＮＴＩを無線回線制御部１０９に出力する。
【００５９】
スクランブリングコード作成部１１２は、例えば、スケジューラ１０５から出力された送信スロット番号と、無線回線制御部１０９から出力されたセル番号及びＣｏＭＰ−ＲＮＴＩとに基づいて、スクランブリングコードの初期値を作成し、順次スクランブリングコードを作成する。なお、スクランプリングコード作成部１１２の詳細は後述する。また、スクランブリングコード作成部１１２は、作成したスクランブリングコードを符号化・変調部１１６に出力する。
【００６０】
システム情報作成部１１３は、無線回線制御部１０９から出力されたセル番号及びＣｏＭＰ−ＲＮＴＩと、スケジューラ１０５から出力された送信スロット番号とからセル情報を作成する。なお、作成したセル情報は、セル情報信号としてＣｏＭＰ送信を実施する基地局（例えば、スレーブ基地局１００−２）に送信される。なお、セル情報信号は、端末２００に送信するために符号化・変調部１１６にも出力される。
【００６１】
送信データバッファ１１４は、マスタ基地局１００−１から端末２００に送信される送信データを一時的に記憶する。
【００６２】
制御信号作成部１１５は、スケジューラ１０５から出力されたスケジューリング情報を含む制御信号を作成し、符号化・変調部１１６に出力する。
【００６３】
符号化・変調部１１６は、スケジューラ１０５から得られるスケジューリング情報に基づいて、送信データバッファ１１４から出力された送信データを符号化し、スクランブリングコード作成部１１２で作成されたスクランブリングコードを用いて、符号化された送信データをスクランブリング処理（スクランブル）する。また、符号化・変調部１１６は、スクランブル後の送信データに対して、スケジューラ１０５から得られるスケジューリング情報に基づいて変調する。なお、符号化・変調部１１６は、システム情報作成部１１３から出力されたセル情報と、制御信号作成部１１５から出力された制御信号とに対して符号化等の処理を行うが、これらに対してスクランブル処理を行ってもよい。
【００６４】
送信無線部１１７は、符号化・変調部１１６から出力された送信データ等に対して、スケジューラ１０５で、作成されたプレコーディング情報（Ｐｒｅｃｏｄｉｎｎｇ情報）に従い、送信データ等に重み付けの処理等が行われる。また、送信無線部１１７は、例えばパイロット信号（又は既知信号）を生成する。送信無線部１１７からの出力は、無線信号としてアンテナ部１０１を介して端末２００に送信される。
【００６５】
＜第１の実施形態：スレーブ基地局１００−２の構成例＞
次に、上述した第１の実施形態を実現するスレーブ基地局１００−２のブロック構成例について図を用いて説明する。
【００６６】
図３は、第１の実施形態におけるスレーブ基地局のブロック構成例を示す図である。なお、図３に示すスレーブ基地局の構成では、上述したマスタ基地局１００−１とほぼ同様の機能を有するブロックについては、同一の符号を付するものとし、ここでの具体的な説明は省略する。
【００６７】
図３に示すスレーブ基地局１００−２Ａは、アンテナ部１０１と、受信無線部１０２と、復調・復号部１０３と、無線回線品質情報抽出部１０４と、スケジューラ１０５と、ＣｏＭＰ通信要求信号抽出部１０６と、制御部１０７と、スクランブリングコード作成部１１２と、システム情報作成部１１３と、送信データバッファ１１４と、制御信号作成部１１５と、符号化・変調部１１６と、送信無線部１１７とを有する。
【００６８】
制御部１０７は、ＣｏＭＰ通信要求信号抽出部１０６からＣｏＭＰ通信要求信号を入力し、更にマスタ基地局１００−１からＣｏＭＰ実施通知を受信すると、ＣｏＭＰ実施通知をスケジューラ１０５に出力する。
【００６９】
スケジューラ１０５は、無線回線品質情報抽出部１０４から出力された無線回線品質情報に基づいて下り方向のスケジューリングを行う。また、スケジューラ１０５は、制御部１０７からＣｏＭＰ実施通知を受け取り、マスタ基地局１００−１からＣｏＭＰ制御信号を受信すると、ＣｏＭＰ送信のためのスケジューリングを行う。また、スケジューラ１０５は、スケジューリングに従い符号化処理等が行われるように符号化・変調部１１６と送信無線部１１７を制御する。
【００７０】
スクランブリングコード作成部１１２は、マスタ基地局１００−１からセル情報（セル番号、ＣｏＭＰ−ＲＮＴＩ、送信スロット番号）を入力し、セル情報に基づいてスクランブリングコードの初期値を作成し、順次スクランブリングコードを作成する。その詳細は後述する。スクランブリングコード作成部１１２は、マスタ基地局１００−１から通知されたセル情報に基づいてスクランブリングコードを作成するため、マスタ基地局１００−１とスレーブ基地局１００−２は、同一のスクランブルコードを作成する。作成されたスクランブリングコードは、符号化・変調部１１６に出力され、スレーブ基地局１００−２から送信される送信データにスクランブル処理が施される。
【００７１】
＜第１の実施形態：端末の構成例＞
次に、第１の実施形態における端末２００の構成例について図を用いて説明する。図４は、第１の実施形態における端末の構成例を示す図である。図４に示す端末２００Ａは、アンテナ部２０１と、受信無線部２０２と、復調・復号部２０３と、無線回線品質測定及び算出部（以下、「算出部」という）２０４と、無線回線品質情報作成部２０５と、セル情報抽出部２０６と、ＣｏＭＰ−ＲＮＴＩ抽出部２０７と、スクランブリングコード作成部２０８と、受信制御信号抽出部２０９と、端末設定制御部２１０と、受信電力測定部２１１と、回線接続制御部２１２と、接続要求信号作成部２１３と、符号化・変調部２１４と、送信無線部２１５とを有する。
【００７２】
アンテナ部２０１は、各基地局１００−１，１００−２との間で無線信号の送受信を行う。受信無線部２０２は、アンテナ部２０１で受信した無線信号を受信信号として出力する。復調部・復号部２０３は、端末設定制御部２１０により設定された復調方式等に従い、受信信号に対して復調を行い、スクランブリングコード作成部２０８で作成されたスクランブリングコードを用いて復調された信号をデスクランブリング処理（デスクランブル）し、端末設定制御部２１０により設定された符号化率に従い、デスクランブリングされた受信信号に対して復号を行う。
【００７３】
算出部２０４は、マスタ基地局１００−１又はスレーブ基地局１００−２から送信されたパイロット信号等に対して、各無線回線の無線品質を測定する。なお、算出部２０４は、例えばパイロット信号のＳＩＮＲ（Ｓｉｇｎａｌ  ｔｏ  Ｉｎｔｅｒｆｅｒｅｎｃｅ  Ｎｏｉｓｅ  Ｒａｔｉｏ：信号対干渉雑音比）等を測定することで無線回線品質を測定する。
【００７４】
無線回線品質情報作成部２０５は、算出部２０４から出力された無線回線品質に基づいて、無線回線品質情報を作成する。無線回線品質情報は、例えばＣＱＩ（ＣｈａｎｎｅＩ  Ｑｕａｌｉｔｙ  Ｉｎｄｉｃａｔｏｒ）等である。なお、作成した無線回線品質情報は、符号化・変調部２１４に出力される。
【００７５】
セル番号抽出部２０６は、復調・復号部２０３から出力された受信信号からセル番号を抽出する。セル番号抽出部２０６は、抽出したセル番号をスクランブリングコード作成部２０８に出力する。
【００７６】
ＣｏＭＰ−ＲＴＮＩ抽出部２０７は、復調・復号部２０３から出力された受信信号からＣｏＭＰ−ＲＴＮＩを抽出する。ＣｏＭＰ−ＲＴＮＩ抽出部２０７は、抽出したＣｏＭＰ−ＲＴＮＩをスクランブリングコード生成部２０８に出力する。
【００７７】
スクランブリングコード作成部２０８は、セル情報（例えばセル番号、ＣｏＭＰ−ＲＮＴＩを含む）に基づいて、スクランブルコードの初期値を作成し、順次スクランブリングコードを作成する。スクランブリングコード作成部２０８は、作成したスクランブルコードを復調・復号部２０３に出力する。
【００７８】
受信制御信号抽出部２０９は、受信信号のうち制御信号を抽出し、端末設定制御部２１０に出力する。
【００７９】
端末設定制御部２１０は、制御信号に含まれるスケジューリング情報に基づいて、基地局１００−１，１００−２からの受信データ等を復調、復号等できるように、受信無線部２０２と復調・復号部２０３を制御する。
【００８０】
受信電力測定部２１１は、受信信号のうち、例えば、パイロット信号の受信電力を測定し、測定結果を回線接続制御部２１２に出力する。また、回線接続制御部２１２は、受信電力測定部２１１から得られる受信電力に基づいて基地局１００−１，１００−２との回線を接続するか否かを決定する。
【００８１】
接続要求信号作成部２１３は、指示信号に基づいて、接続要求信号を作成し、符号化・変調部２１４に出力する。
【００８２】
符号化・変調部２１４は、無線回線品質情報、接続要求信号等に対して、符号化及び変調処理を行う。また、送信無線部２１４は、符号化等された無線回線品質情報等に対して、送信電力の制御等を行い、無線信号としてアンテナ部２０１に出力する。これにより、無線回線品質情報等は、アンテナ部２０１から無線信号として基地局１００−１，１００−２に送信される。
【００８３】
＜第１の実施形態：端末の構成例（変形例１）＞
次に、第１の実施形態における端末２００の構成例（変形例１）について図を用いて説明する。図５は、第１の実施形態における端末の構成例（変形例１）を示す図である。なお、図５に示す例では、上述した図４に示す端末２００Ａとほぼ同様の機能を有するブロックについては、同一の符号を付するものとし、ここでの具体的な説明は省略する。
【００８４】
図５に示す端末２００Ｂは、アンテナ部２０１と、受信無線部２０２と、復調・復号部２０３と、算出部２０４と、無線回線品質情報作成部２０５と、セル情報抽出部２０６と、ＣｏＭＰ−ＲＮＴＩ抽出部２０７と、スクランブリングコード作成部２０８と、受信制御信号抽出部２０９と、端末設定制御部２１０と、受信電力測定部２１１と、回線接続制御部２１２と、接続要求信号作成部２１３、符号化・変調部２１４と、送信無線部２１５と、スロット番号抽出部２１６とを有する。
【００８５】
ここで、変形例１における端末２００Ｂは、上述した実施例１における端末２００Ａと比較してスロット番号抽出部２１６が設けられている。
【００８６】
スロット番号抽出部２１６は、復調・復号部２０３から出力された受信信号からスロット番号を抽出する。スロット番号抽出部２０７は、抽出したスロット番号をスクランブリングコード生成部２０８に出力する。
【００８７】
これにより、スクランブリングコード作成部２０８は、セル情報（変形例１では、例えばセル番号、ＣｏＭＰ−ＲＮＴＩ、スロット番号を含む）に基づいて、スクランブルコードの初期値を作成し、順次スクランブリングコードを作成する。スクランブリングコード作成部２０８は、作成したスクランブルコードを復調・復号部２０３に出力する。復調・復号部２０３は、スクランブリングコード作成部２０８から得られたスクランブリングコードを用いて受信データをデスクランブリングする。
【００８８】
＜スクランブリングコード作成部の構成例＞
次に、マスタ基地局１００−１、スレーブ基地局１００−２のスクランブリングコード作成部１１２、及び端末２００Ａ，Ｂのスクランブリングコード作成部２０８の構成例について説明する。図６は、スクランブリングコード作成部の構成例を示す図である。
【００８９】
スクランプリングコード作成部１１２，２０８は、第１及び第２のレジスタ（又はフリップフロップ）１１２−１，１１２−２と、第１〜第３の排他的論理和回路１１２−３〜１１２−５とを有する。
【００９０】
スクランブリングコード作成部１１２，２０８は、例えば長さ「３１」のゴールド符号（又はスクランブリングコード）を生成し、その出力がスクランブリングコードｃ（ｎ）となる。スクランブルコードｃ（ｎ）の生成多項式は上述した（２）式で示される。
【００９１】
＜第１の実施形態における通信処理例＞
次に、第１の実施形態における通信処理例について説明する。図７は、第１の実施形態における通信処理例を示すシーケンスである。図７に示す例では、下り方向の動作例を示している。また、端末（ＵＥ）２００は、マスタ基地局（ｅＮＢ１）１００−１とスレーブ基地局（ｅＮＢ２）１００−２の双方に通信接続可能な領域に位置しているものとする。
【００９２】
最初に、マスタ基地局１００−１は、端末２００に対して、そのセル（Ｃｅｌｌ）の情報を報知（Ｂｒｏａｄｃａｓｔ）する(Ｓ０１)。また、マスタ基地局１０１−１は、共通パイロット（Ｐｉｌｏｔ）を端末２００に送信する（Ｓ０２）。例えば、パイロット信号は、マスタ基地局１００−１の送信無線部１１７等で生成される。
【００９３】
次に、共通パイロットを受信した端末２００は、通信対象となるセルを選択し（Ｓ０３）、選択したセルとの間で回線を設定する（Ｓ０４）。例えば、端末２００の受信電力測定部２１１がパイロット信号の受信電力を測定し、回線接続制御部２１２が最も受信品質の良い（例えば、受信電力が最も大きい）セル（例えば、マスタ基地局１００−１）を選択する。そして、接続要求信号作成部２１３は、接続要求信号を作成してマスタ基地局１００−１に送信し、回線の設定が行われる。これにより、端末２００は、マスタ基地局１００−１との間で無線回線の設定行う。なお、無線回線の設定において、マスタ基地局１００−１を含むネットワークは、端末２００に端末識別番号ＲＮＴＩを設定し、端末２００に通知する。
【００９４】
無線回線設定の終了後、端末２００は、共通パイロットに基づいて、無線回線の品質（例えば、ＣＱＩ（Ｃｈａｎｎｅｌ  Ｑｕａｌｉｔｙ  Ｉｎｄｉｃａｔｏｒ））を測定する（Ｓ０５）。また、端末２００は、測定された無線回線品質情報をマスタ基地局１００−１に通知する。この場合、例えば、端末２００の算出部２０４がパイロット信号に基づいて無線回線品質を測定し、無線回線品質情報作成部２０５が無線回線品質情報を作成して、その情報がマスタ基地局１００−１に送信される。
【００９５】
次に、マスタ基地局１００−１は、無線回線品質情報に基づいてスケジューリングを行う（Ｓ０６）。例えば、マスタ基地局１００−１のスケジューラ１０５が無線回線品質情報抽出部１０４で抽出した無線回線品質情報に基づいてスケジューリングを行う。
【００９６】
次に、マスタ基地局１００−１は、送信信号処理を行う。例えば、具体的には、端末２００から無線回線品質情報（例えば、ＣＱＩ）の通知を受けたマスタ基地局１００−１は、他の端末からも通知された各ＣＱＩに基づいて、どの端末と上り又は下りの通信を実施するのかを選択（通信相手の端末を選択）する。また、マスタ基地局１００は、例えば、送信方法（変調方式や符号化率）や使用する無線リソースを選択し、端末２００に通知する。なお、以下の説明では、下りの場合で説明する。
【００９７】
次に、マスタ基地局１００−１は、選択した送信方法に基づいて作成した送信制御信号に対して、符号化・変調部１１６により符号化・変調等の信号処理を行い、処理後の送信制御信号を端末２００に送信する（Ｓ０９）。また、マスタ基地局１００−１は、送信データに対して、符号化・変調部１１６により符号化・変調等の信号処理を行い、処理後の送信データを端末２００に送信する（Ｓ１０）。
【００９８】
端末２００は、受信信号処理を行う（Ｓ１１）。具体的には、端末２００は、制御信号を受信し、復調・復号部２０３により復調・復号し、制御信号を取得する。また、端末２００は、送信データを受信し、取得した送信制御信号に基づいて復調・復号部２０３により復調・復号し、データを取得する。
【００９９】
ここで、端末２００は、ＣｏＭＰ送信判定を行う（Ｓ１２）。具体的には、端末２００は、上述した通信を実施している間でも、間欠的又は周期的に他の基地局（例えば、スレーブ基地局１００−２）から送信されるセル情報等やパイロットを受信し(Ｓ１３、Ｓ１４)、他の基地局との無線品質を測定算出する。ここで、例えば、端末２００がセル端に移動することにより、マスタ基地局１００−１との無線回線品質が劣化し、伝送特性が劣化したとする。その際の対策として、端末２００は、マスタ基地局１００−１と他の基地局とからＣｏＭＰ送信をすることで伝送特性の改善が可能と判断した場合、マスタ基地局１００−１の無線回線品質（例えば、ＣＱＩ）と、他の基地局の無線回線品質とからＣｏＭＰ伝送の可否を判断し、合わせてＣｏＭＰ送信を実施するセル（例えば、スレーブ基地局１００−２）を選択する（Ｓ１５）。次に、端末２００は、マスタ基地局１００−１に対してスレーブ基地局１００−２とＣｏＭＰ送信を実施するよう要求する（Ｓ１６）。
【０１００】
ＣｏＭＰ送信要求を受信したマスタ基地局１００−１は、スレーブ基地局１００−２及び端末２００にＣｏＭＰ送信実施を通知する（Ｓ１７、Ｓ１８）。
【０１０１】
また、マスタ基地局１００−１は、スレーブ基地局１００−２及び端末２００にＣｏＭＰ−ＲＮＴＩを通知する（Ｓ１９、Ｓ２０）。Ｓ１７〜Ｓ２０の通知を受けたスレーブ基地局１００−２及び端末２００は、回線設定を実施する（Ｓ２１）。
【０１０２】
その後、端末２００は、マスタ基地局１００−１及びスレーブ基地局１００−２から送信されたそれぞれのパイロット信号を受信し（Ｓ２２、Ｓ２３）、無線回線品質（例えば、ＣＱＩ）を測定算出し(Ｓ２４)、マスタ基地局１００−１及びスレーブ基地局１００−２に通知する（Ｓ２５、Ｓ２６）。
【０１０３】
また、それぞれの無線回線品質を受信したマスタ基地局１００−１及びスレーブ基地局１００−２は、それぞれスケジューリングを実施し（Ｓ２７、Ｓ２８）、また送信信号処理（例えば、スクランブリング等）を行う（Ｓ２９、Ｓ３０）。Ｓ２９及びＳ３０の処理では、マスタ基地局１００−１及びスレーブ基地局１００−２が、例えば上述したＳ０８の処理と同様な処理等を行い、送信する端末（例えば、端末２００）を選択し、かつその送信方法を選択する。次に、マスタ基地局１００−１及びスレーブ基地局１００−２は、それぞれ選択した送信方法に関する制御信号を作成し、符号化・変調を行う。また、マスタ基地局１００−１及びスレーブ基地局１００−２は、選択した送信方法に従い、送信データの符号化・変調を行う。
【０１０４】
その後、マスタ基地局１００−１は、送信制御信号及び送信データを端末２００に送信する（Ｓ３１、Ｓ３２）。また、スレーブ基地局１００−２は、送信制御信号及び送信データを端末２００に送信する（Ｓ３３、Ｓ３４）。
【０１０５】
端末２００は、マスタ基地局１００−１及びスレーブ基地局１００−２から制御信号を受信し復調・復号を行って、制御信号を抽出し、抽出した制御信号に基づいて受信したデータを復調・復号（例えば、デスクランブリング等）し、データを取得する（Ｓ３５）。
【０１０６】
＜第１の実施形態における通信処理例（変形例１）＞
次に、第１の実施形態における通信処理例（変形例１）について説明する。図８は、第１の実施形態における通信処理例（変形例１）を示すシーケンスである。
【０１０７】
ここで、図８に示す変形例１と上述した図７に示す通信処理例との主な違いは、以下の点である。まず、図７に示す通信処理例では、マスタ基地局１００−１及びスレーブ基地局１００−２が、それぞれ別に送信データが上位装置（例えば、ＭＭＥ（Ｍｏｂｉｌｉｔｙ  Ｍａｎａｇｅｍｅｎｔ  Ｅｎｔｉｔｙ、ネットワーク））から送信されているのに対し、変形例１では、主となるマスタ基地局１００−１のみに送信データが上位から送信されている。また、ＣＱＩの伝送において、図７に示す通信処理例では、それぞれの基地局へ無線回線品質を送信するのみの構成であるのに対し、変形例１では、従となるスレーブ基地局１００−２に通知された無線回線品質が、ネットワーク等を介してマスタ基地局１００−１にも通知される。更に、図７に示す通信処理例では、ＣｏＭＰ送信の要求時にＣｏＭＰ伝送を行う基地局を端末２００が選択する構成であるのに対し、変形例１では、主となるマスタ基地局１００−１がＣｏＭＰ伝送を行う基地局を選択する。
【０１０８】
ここで、図８の通信処理手順について、図７に示す通信処理例と違う部分を説明する。変形例１では、Ｓ５１の処理が終了後、端末２００でＣｏＭＰ送信判定を行わずに、間欠的又は周期的に他の基地局（例えば、スレーブ基地局１００−２）から送信されるセル情報等やパイロットを受信し(Ｓ５２、Ｓ５３)、他の基地局との無線品質を測定算出し、セルを選択する（Ｓ５４）。
【０１０９】
その後、マスタ基地局１００−１及びスレーブ基地局１００−２は、それぞれのパイロット信号を受信し（Ｓ５５、Ｓ５６）、無線回線品質（例えば、ＣＱＩ）を測定算出し(Ｓ５７)、スレーブ基地局１００−２に通知する（Ｓ５８）。スレーブ基地局１００−２は、端末２００から得られる無線回線品質情報を、ネットワークを介してマスタ基地局１００−１に送信する（Ｓ５９）。
【０１１０】
また、端末２００は、無線回線品質情報をマスタ基地局１００−１に送信する（Ｓ６０）。
【０１１１】
その後、マスタ基地局１００−１は、上述したようにＣｏＭＰ送信判定を行い（Ｓ６１）、ＣｏＭＰ送信実施通知をスレーブ基地局１００−２及び端末２００に送信する（Ｓ６３、Ｓ６４）。また、同様に、マスタ基地局１００−１は、ＣｏＭＰ−ＲＮＴＩ通知をスレーブ基地局１００−２及び端末２００に送信する（Ｓ６４、Ｓ６５）。これにより、スレーブ基地局１００−２及び端末２００は、得られた情報から回線設定を行う（Ｓ６６）。また、マスタ基地局１００−１は、スレーブ基地局１００−２に対してスケジューリングに必要なデータを転送する（Ｓ６７）。
【０１１２】
なお、図８におけるＳ４１〜Ｓ５１、Ｓ６８〜Ｓ７６の処理については、上述したＳ０１〜Ｓ１１、Ｓ２７〜Ｓ７６と同様であるため、ここでの説明を省略する。
【０１１３】
＜第１の実施形態における通信処理例（変形例２）＞
次に、第１の実施形態における通信処理例（変形例２）について説明する。図９は、第１の実施形態における通信処理例（変形例２）を示すシーケンスである。
【０１１４】
ここで、図９に示す変形例２と上述した図８に示す変形例１との主な違いは、変形例２では、変形例１の処理に加えて、マスタ基地局１００−１が、セル情報（例えば、Ｃｅｌｌ  ＩＤやスロット番号）等をスレーブ基地局１００−２及び端末２００に通知している（Ｓ１０７）。これにより、スレーブ基地局１００−２は、セル情報等を用いてスケジューリングすることもできる（Ｓ１１０）。
【０１１５】
なお、図９におけるＳ８１〜Ｓ１０６、Ｓ１０８〜Ｓ１１７の処理については、上述したＳ４１〜Ｓ７６の処理とほぼ同様の処理を行うため、ここでの具体的な説明は省略する。
【０１１６】
＜第１の実施形態における通信処理例（変形例３）＞
次に、第１の実施形態における通信処理例（変形例３）について説明する。図１０は、第１の実施形態における通信処理例（変形例３）を示すシーケンスである。
【０１１７】
ここで、図１０に示す変形例３と上述した図９に示す変形例２との主な違いは、以下の点である。まず、変形例３では、端末２００で測定した主となるマスタ基地局１００−１の無線回線品質及びスレーブ基地局１００−２の無線回線品質を、マスタ基地局１００−１のみに通知する（Ｓ１３８）。
【０１１８】
また、変形例３では、スレーブ基地局１００−２には、ＣｏＭＰ送信する相手の端末（例えば、端末２００）向けのデータがなく、主となるマスタ基地局１００−１に対してのみ上位から送信されている。よって、スレーブ基地局１００−２からデータを送信するために、マスタ基地局１００−１から送信データをスレーブ基地局１００−２に転送している（Ｓ１４６）。
【０１１９】
更に、変形例３では、主となるマスタ基地局１００−１でのみスケジューリングを実施している（Ｓ１４７）。また、変形例３では、マスタ基地局１００−１がスレーブ基地局１００−２に送信制御情報を通知し（Ｓ１４８）。また、変形例３では、マスタ基地局１００−１及びスレーブ基地局１００−２で送信信号処理を行う（Ｓ１４９、Ｓ１５０）。また、変形例３では、マスタ基地局１００−１から端末２００に対し送信制御信号と送信データを送信し（Ｓ１５１、Ｓ１５２）、スレーブ基地局１００−２は、送信データのみを端末２００に送信する（Ｓ１５３）。
【０１２０】
なお、図１０に示すＳ１２１〜Ｓ１５４の処理において、上述した各ステップ以外の処理については、上述した各通信処理例等における処理とほぼ同様の処理を行うため、ここでの具体的な説明は省略する。
【０１２１】
＜第１の実施形態における通信処理例（変形例４）＞
次に、第１の実施形態における通信処理例（変形例４）について説明する。図１１は、第１の実施形態における通信処理例（変形例４）を示すシーケンスである。
【０１２２】
ここで、図１１に示す変形例４と上述した図１０に示す変形例３との主な違いは、変形例３では、マスタ基地局１００−１がＣｏＭＰの送信の必要性等を判断し、かつ送信可否を判定する。一方、変形例４では、端末２００からのＣｏＭＰ送信要求が通知される前に、ＣｏＭＰ送信の可・不可を、マスタ基地局１００−１が判定しておく（Ｓ１８１）。また、変形例４では、端末２００からＣｏＭＰ送信の実施要求をマスタ基地局１００−１と、スレーブ基地局１００−２に送信する（Ｓ１８２、Ｓ１８３）。マスタ基地局１００−１は、端末２００から得られるＣｏＭＰ送信の実施要求によってＣｏＭＰ送信の実施通知を行う（Ｓ１８４、Ｓ１８５）。また、変形例４では、マスタ基地局１００−１がスレーブ基地局に対して他のセル情報等も通知する（Ｓ１８９）。
【０１２３】
なお、図１１に示すＳ１６１〜Ｓ１９８の処理において、上述した各ステップ以外の処理については、上述した各通信処理例等における処理とほぼ同様の処理を行うため、ここでの具体的な説明は省略する。
【０１２４】
＜第１の実施形態における通信処理例（変形例５）＞
次に、第１の実施形態における通信処理例（変形例５）について説明する。図１２は、第１の実施形態における通信処理例（変形例５）を示すシーケンスである。
【０１２５】
ここで、図１２に示す変形例５と上述した図１１に示す変形例４との主な違いは、変形例４では、マスタ基地局１００−１と、スレーブ基地局１００−２とが既に同期していることが前提となっている。ここで、同期とは、例えば、それぞれの無線フレームを構成するスロットの開始タイミングが一致していることや、そのスロットの番号が一致していること、両者の送信周波数が一致していること等である。なお、変形例４では、少なくともスロット番号が一致している必要がある。更に、完全に一致していなくても一定の許容範囲（例えば、時間差が０．１ｍｓｅｃ以下や周波数差が１００Ｈｚ以下等）であってもよい。
【０１２６】
一方、変形例５では、ＣｏＭＰ送信を決定し、ＣｏＭＰ送信の実施をスレーブ基地局１００−２と端末２００とに通知した後（Ｓ２２４，Ｓ２２５）、マスタ基地局１００−１及びスレーブ基地局１００−２で基地局間同期を実施する（Ｓ２２６）。なお、Ｓ２２６の処理では、ＣｏＭＰ−ＲＮＴＩの通知後に同期を実施してもよい。言い換えれば、実際のＣｏＭＰ伝送が実施される前に基地局間の同期が実施されればよい。なお、図１２に示すＳ２０１〜Ｓ２３９の処理において、上述した各ステップ以外の処理については、上述した各通信処理例等における処理とほぼ同様の処理を行うため、ここでの具体的な説明は省略する。
【０１２７】
＜第２の実施形態＞
次に、第２の実施形態について説明する。第２の実施形態では、スクランブリングコードの初期値算出式から物理セルＩＤの項を削除する。
【０１２８】
つまり、（１）式を用いてスクランブリングコードの初期値を算出した。しかしながら、この場合、ＣｏＭＰ−ＲＮＴＩ（例えば、１６ビット）と、（物理）セルＩＤ  ＮＩＤｃｅｌｌ（例えば、９ｂｉｔ  ０〜５０３）及びスロット番号ｎｓ（例えば、５ｂｉｔ  ０〜１９）を主たる基地局から従たる基地局に対して通知せねばならず、その情報量は、合計３０ビットの情報となる。
【０１２９】
一方で、一般的に通知する情報（例えば、制御情報等）は、それを基に伝送するデータ量に対して少ない方が伝送効率がよい。よって、制御情報の削減は、必要である。更に、スレーブ基地局は、マスタ基地局とは異なる（物理）セルＩＤが設定されている。この（物理）セルＩＤを用いて、スクランブリングコードを作成し、送信するデータをスクランブリングしている。しかしながら、マスタ基地局の物理セルＩＤの通知を受けた場合、通常用いている（物理）セルＩＤではないマスタ基地局の物理セルＩＤを別に用いてスクランブリングコードを作成しなければならず、新たな処理が発生する。
【０１３０】
そこで、第２の実施形態では、（物理）セルＩＤ  ＮＩＤｃｅｌｌを通知せず、またマスタ基地局の（物理）セルＩＤを用いずに、スクランブリングコードの初期値を算出できるように、初期値の算出式の（物理）セルＩＤ  ＮＩＤｃｅｌｌの項を削除する。すなわち、第２の実施形態では、以下の式（４）でスクランブリングコードの初期値を算出する。
【０１３１】
【数５】
2012132016.tif 000007
これにより、通知に必要な情報量９ｂｉｔを削減でき、かつ基地局及び端末におけるスクランブリング処理を軽減することができる。
【０１３２】
なお、第２の実施形態における基地局及び端末のブロック構成やシーケンス等については、上述した第１の実施形態の内容を用いることができるため、ここでの具体的な説明は、省略する。
【０１３３】
＜第３の実施形態＞
次に、第３の実施形態について説明する。第３の実施形態では、スクランブリングコードの初期値算出式からスロット番号の項を削除する。つまり、第２の実施形態では、スクランブリングコードの初期値算出式の（物理）セルＩＤの項を削除したが、ここでは、スロット番号を削除する。
【０１３４】
例えば、通常では、主たる基地局（例えば、マスタ基地局）のＳＦＮ（Ｓｙｓｔｅｍ  Ｆｒａｍｅ  Ｎｕｍｂｅｒ）と、そのＳＦＮの先頭のタイミング及びスロットの先頭のタイミングと、従たる基地局（例えば、スレーブ基地局）のＳＦＮと、そのＳＦＮの先頭のタイミングとスロットの先頭のタイミングとが一致していることは保証されていない。
【０１３５】
したがって、基地局間でスロットの先頭が同期していたとしても、それぞれの基地局のスロット番号が異なる可能性もある。例えば、主たる基地局のスロット番号が０で、従たる基地局のスロット番号が５であるかもしれない。
【０１３６】
このときＣｏＭＰ伝送を行うためには、主たる基地局から従たる基地局に対してスロット番号を通知し、通知されたスロット番号を使用しなければ、スクランブリングコードの初期値及びスクランブリングコードそのものを基地局間で同一にすることができる。しかしながら、上述したように通知する制御情報は、少ない方がよい。
【０１３７】
また、スレーブ基地局は、マスタ基地局とは異なるスロット番号を基にスクランブリングコードを作成し、送信するデータをスクランブリングしている。しかしながら、マスタ基地局のスロット番号の通知を受けた場合、通常用いているスロット番号ではないマスタ基地局のスロット番号を用いて、別にスクランブリングコードを作成しなければならず、新たな処理が発生する。
【０１３８】
そこで、第３の実施形態では、スロット番号ｎｓを通知せず、またマスタ基地局のスロット番号を用いずに、スクランブリングコードの初期値を算出できるように、初期値の算出式のスロット番号ｎｓ項を削除する。すなわち、以下に示す（５）式でスクランブリングコードの初期値を算出する。
【０１３９】
【数６】
2012132016.tif 000008
これにより、通知に必要な情報量５ｂｉｔを削減でき、かつ基地局及び端末におけるスクランブリング処理を軽減することができる。
【０１４０】
なお、第３の実施形態における基地局及び端末のブロック構成やシーケンス等については、上述した第１の実施形態の内容を用いることができるため、ここでの具体的な説明は、省略する。
【０１４１】
＜第４の実施形態＞
次に、第４の実施形態について説明する。第４の実施形態では、スクランブリングコードの初期値算出式から物理セルＩＤの項とスロット番号の項を削除する。
【０１４２】
上述した第２の実施形態では、（物理）セルＩＤを使用しないでスクランブリングコードの初期値を算出する例を示した。また、第３の実施形態では、スロット番号を使用しないでスクランブリングコードの初期値を算出する例を示した。第４の実施形態では、上述した物理セルＩＤとスロット番号を両方使用しないでスクランブリングコードの初期値を算出する。なお、課題及び効果は上述した第２及び第３の実施形態と同様である。
【０１４３】
第４の実施形態では、以下に示す式（６）を用いてスクランブリングコードの初期値を算出する。
【０１４４】
【数７】
2012132016.tif 000009
これにより、通知に必要な情報量１４ｂｉｔを削減でき、かつ基地局及び端末におけるスクランブリング処理を軽減することができる。
【０１４５】
なお、第４の実施形態における基地局及び端末のブロック構成やシーケンス等については、上述した第１の実施形態の内容を用いることができるため、ここでの具体的な説明は、省略する。
【０１４６】
＜第５の実施形態＞
次に、第５の実施形態について説明する。第５の実施形態では、基地局の上位装置（ＭＭＥ）でＣｏＭＰ−ＲＮＴＩを設定する。ここで、ＲＮＴＩは、基地局のＲＲＣで発行する。このように、ある基地局において、その基地局を含む複数基地局において使用するＣｏＭＰ−ＲＮＴＩを発行する場合、すなわちＣｏＭＰ−ＲＮＴＩを分散管理する場合には、基地局間でＣｏＭＰ−ＲＮＴＩが衝突して使用されてしまう可能性が生じる。
【０１４７】
そこで、第５の実施形態では、各基地局の上位装置でＣｏＭＰ−ＲＮＴＩを発行し、集中管理する。すなわち、第５の実施形態では、基地局の上位装置でＣｏＭＰ−ＲＮＴＩを発行することで、ＣｏＭＰ−ＲＮＴＩの衝突が生じないよう管理することができる。
【０１４８】
図１３は、第５の実施形態における無線通信システムの構成例を示す図である。図１３に示す無線通信システム１０Ｂは、上述した第１の実施形態と同様に２つの基地局（ｅＮＢ）１００−１，１００−２と、端末（ＵＥ）２００と、ＭＭＥ３００とを有する。基地局１００−１，１００−２は異なるデータを送信し、端末２００はこれを受信する（下り方向）。また、端末２００は、異なるデータを基地局１００−１，１００−２に送信することもできる（上り方向）。基地局１００−１，１００−２と端末２００とは、共にいわゆるＣｏＭＰ通信を行うことができる。２つの基地局１００−１，１００−２のうち、基地局１００−１はマスタ基地局、基地局１００−２はスレーブ基地局である。
【０１４９】
ＭＭＥ３００は、モビリティ管理部３０１と、ＣｏＭＰ制御部３０２とを有する。モビリティ管理部３０１は、主にモビリティ関連の制御（管理）を実施し、基地局の位置登録等の管理を行う。また、モビリティ管理部３０１は、モビリティ制御情報を基地局１００−１，１００−２等に送信する。
【０１５０】
ＣｏＭＰ制御部３０２は、ＣｏＭＰ−ＲＮＴＩを発行・管理等を行う。また、ＣｏＭＰ制御部３０２は、複数あるＣｏＭＰ−ＲＮＴＩの使用／未使用を管理する。具体的には、ＣｏＭＰ制御部３０２は、例えば基地局（例えば、マスタ基地局１００−１）からのＣｏＭＰ−ＲＮＴＩ要求に対して、複数あるＣｏＭＰ−ＲＮＴＩから未使用、又は、ＣｏＭＰ−ＲＮＴＩの使用エリアが重複しないＣｏＭＰ−ＲＮＴＩの一つを選択し、選択したＣｏＭＰ−ＲＮＴＩを要求のあった基地局に送信する。なお、ＭＭＥ３００は、例えば、Ｓ−ＧＷ（Ｓｅｒｖｉｎｇ  Ｇａｔｅ  Ｗａｙ）として、データの転送及び中継装置として機能させることもできる。
【０１５１】
つまり、第５の実施形態では、ある基地局とある端末間の伝送にＣｏＭＰ伝送が必要と判断した場合、ＭＭＥ３００に対してＣｏＭＰ−ＲＮＴＩの発行を要求する。要求を受けたＭＭＥ３００は、他のＭＭＥ配下の基地局で使用していないＣｏＭＰ−ＲＮＴＩからＣｏＭＰ−ＲＮＴＩを選択し、要求のあった基地局に通知する。
【０１５２】
ＣｏＭＰ−ＲＮＴＩの通知を受けた基地局は、主となる基地局（マスタ基地局１００−１）として、ＣｏＭＰ伝送を実施する従となる基地局（スレーブ基地局１００−２）と端末２００に対して、ＣｏＭＰ−ＲＮＴＩを通知し、ＣｏＭＰ伝送を実施する。
【０１５３】
なお、ある基地局とある端末間の伝送にＣｏＭＰ伝送が必要と判断した場合には、ＭＭＥ３００に対して、ＣｏＭＰ−ＲＮＴＩの発行要求とマスタ基地局１００−１とスレーブ基地局１００−２の識別情報を通知する。通知を受けたＭＭＥ３００は、上述したようにＣｏＭＰ−ＲＮＴＩを選択し、マスタ基地局１００−１とスレーブ基地局１００−２に対してＣｏＭＰ−ＲＮＴＩを通知する。
【０１５４】
ＣｏＭＰ−ＲＮＴＩの通知を受けたマスタ基地局１００−１は、ＣｏＭＰ伝送を実施する端末２００に対してＣｏＭＰ−ＲＮＴＩを通知し、ＣｏＭＰ伝送を実施する。なお、この場合には、ＭＭＥ３００のＣｏＭＰ制御部３０２は、複数あるＣｏＭＰ−ＲＮＴＩの使用／未使用、及びＣｏＭＰ−ＲＮＴＩがどの基地局で使用されているかを管理する。
【０１５５】
更に、第５の実施形態では、基地局がＣｏＭＰ伝送の必要性を判断しているが、端末２００がＣｏＭＰ伝送の必要性を判断し、基地局に対してＣｏＭＰ伝送の要求を通知し、通知を受けた基地局がＣｏＭＰ−ＲＮＴＩの発行をＭＭＥ３００に要求してもよい。このように、第５の実施形態によれば、ＣｏＭＰ−ＲＮＴＩが衝突することがなくなる。
【０１５６】
なお、上述の例では、ＭＭＥ３００でＣｏＭＰ−ＲＮＴＩを発行・管理する場合を説明したが、これに限定されず、例えばＭＢＳＦＮの制御を行うＭＣＥ（Ｍｕｌｔｉ−ｃｅｌｌ／ｍｕｌｔｉｃａｓｔ  Ｃｏｏｒｄｉｎａｔｉｏｎ  Ｅｎｔｉｔｙ）でＣｏＭＰ−ＲＮＴＩの発行・管理を行うことも可能である。
【０１５７】
＜第５の実施形態：マスタ基地局１００−１の構成例＞
次に、上述した第５の実施形態を実現するマスタ基地局１００−１のブロック構成例について図を用いて説明する。なお、以下の説明では、上述した図２に示すマスタ基地局１００−１とほぼ同様の機能を有するブロックについては、同一の符号を付するものとし、ここでの具体的な説明は省略する。
【０１５８】
図１４は、第５の実施形態におけるマスタ基地局のブロック構成例を示す図である。図１４に示すマスタ基地局１００−１Ｂは、アンテナ部１０１と、受信無線部１０２と、復調・復号部１０３と、無線回線品質情報抽出部１０４と、スケジューラ１０５と、ＣｏＭＰ通信要求信号抽出部１０６と、ＣｏＭＰ通信実施判定及び制御部（以下、「制御部」という）１０７と、接続要求信号抽出部１０８と、無線回線制御部１０９と、ＲＮＴＩ設定部１１０と、スクランブリングコード作成部１１２と、システム情報作成部１１３と、送信データバッファ１１４と、制御信号作成部１１５と、符号化・変調部１１６と、送信無線部１１７とを有する。
【０１５９】
第５の実施形態において、無線回線制御部１０９は、ＣｏＭＰ送信を実施することになった場合に、上位装置であるＭＭＥ３００に対して、ＣｏＭＰ−ＲＮＴＩを割り当てるように要求する（ＣｏＭＰ−ＲＮＴＩ要求）。更に、無線回線制御部１０９は、ＭＭＥ３００からＣｏＭＰ−ＲＮＴＩの通知を受けると、スレーブ基地局１００−１及び端末２００にＣｏＭＰ−ＲＮＴＩを通知する。
【０１６０】
なお、第５の実施形態におけるスレーブ基地局１００−２及び端末２００のブロック構成については、上述した第１の実施形態と同様であるため、ここでの具体的な説明は省略する。
【０１６１】
＜第５の実施形態における通信処理例＞
次に、第５の実施形態における通信処理例について説明する。図１５は、第５の実施形態における通信処理例を示すシーケンスである。図１５に示す例では、下り方向の動作例を示している。また、端末（ＵＥ）２００は、マスタ基地局（ｅＮＢ１）１００−１とスレーブ基地局（ｅＮＢ２）１００−２の双方に通信接続可能な領域に位置しているものとする。また、第５の実施形態では、基地局１００−１，１００−２の上位装置としてＭＭＥ３００を有する。
【０１６２】
なお、以下の説明では、上述した第１の実施形態における通信処理のシーケンスとの主な違いについて説明する。
【０１６３】
図１５に示す第５の実施形態と、上述した第１の実施形態との主な違いは、マスタ基地局１００−１（図１４におけるマスタ基地局１００−１Ｂ）がＭＭＥ３００からＣｏＭＰ−ＲＮＴＩを取得している。
【０１６４】
具体的には、端末２００が、マスタ基地局１００−１に対してスレーブ基地局１００−２とＣｏＭＰ送信を実施するよう要求する（Ｓ２５５）。その後、マスタ基地局１００−１は、ＭＭＥ３００に対してＣｏＭＰ−ＲＮＴＩを要求する（Ｓ２５６）。その後、ＭＭＥ３００は、上述したように、ＣｏＭＰ−ＲＮＴＩの選択、割当てを行い（Ｓ２５７）、要求のあったマスタ基地局１００−１に対して、割当てたＣｏＭＰ−ＲＮＴＩを通知する（Ｓ２５８）。
【０１６５】
マスタ基地局１００−１は、ＭＭＥ３００から得られたＣｏＭＰ−ＲＮＴＩに基づいて、ＣｏＭＰ−ＲＮＴＩをスレーブ基地局１００−２及び端末２００に通知する（Ｓ２６２、Ｓ２６３）。
【０１６６】
なお、図１５におけるＳ２４１〜Ｓ２５５、Ｓ２５９〜Ｓ２７７の処理については、上述した図７におけるＳ０１〜Ｓ３５の処理とほぼ同様の処理を行うため、ここでの具体的な説明は省略する。
【０１６７】
＜第５の実施形態における通信処理例（変形例１）＞
次に、第５の実施形態における通信処理例（変形例１）について説明する。図１６は、第５の実施形態における通信処理例（変形例１）を示すシーケンスである。
【０１６８】
ここで、第５の実施形態において、図１６に示す変形例１と上述した図１５に示す通信処理例との主な違いは、上述した第１の実施形態における変形例１と図１５に示す通信処理例との違いと同様である。つまり、図１５に示す通信処理例では、マスタ基地局１００−１及びスレーブ基地局１００−２が、それぞれ別に送信データが上位装置（例えば、ＭＭＥ３００）から送信されているのに対し、変形例１では、マスタ基地局１００−１のみに送信データが上位から送信されている。また、ＣＱＩの伝送において、図１５に示す通信処理例では、それぞれの基地局へ無線回線品質を送信するのみの構成であるのに対し、変形例１では、スレーブ基地局１００−２に通知された無線回線品質が、ネットワーク等を介してマスタ基地局１００−１にも通知される。更に、図１５に示す通信処理例では、ＣｏＭＰ送信の要求時にＣｏＭＰ伝送を行う基地局を端末２００が選択する構成であるのに対し、変形例１では、マスタ基地局１００−１がＣｏＭＰ伝送を行う基地局を選択する。
【０１６９】
なお、図１６に示すＳ２８１〜Ｓ３１９の処理については、上述した図８及び図１６における処理とほぼ同様の処理を行うため、ここでの具体的な説明は省略する。
【０１７０】
＜第５の実施形態における通信処理例（変形例２）＞
次に、第５の実施形態における通信処理例（変形例２）について説明する。図１７は、第５の実施形態における通信処理例（変形例２）を示すシーケンスである。
【０１７１】
ここで、第５の実施形態において、図１７に示す変形例２と上述した図１５に示す通信処理例との主な違いについて説明する。図１５に示す通信処理例では、ＭＭＥ３００がマスタ基地局１００−１に対してのみＣｏＭＰ−ＲＮＴＩを通知し、マスタ基地局１００−１からスレーブ基地局１００−２及び端末２００にＣｏＭＰ−ＲＮＴＩを通知していた。一方、変形例２では、ＭＭＥ３００がマスタ基地局１００−１及びスレーブ基地局１００−２にＣｏＭＰ−ＲＮＴＩを通知している（Ｓ３３７、Ｓ３３８）。したがって、マスタ基地局１００−１は、端末２００のみにＣｏＭＰ−ＲＮＴＩを通知する（Ｓ３３９）
なお、図１７におけるＳ３２０〜Ｓ３５６の処理において、上述した各ステップ以外の処理については、上述した各通信処理例等における処理とほぼ同様の処理を行うため、ここでの具体的な説明は省略する。
【０１７２】
＜第５の実施形態における通信処理例（変形例３）＞
次に、第５の実施形態における通信処理例（変形例３）について説明する。図１８は、第５の実施形態における通信処理例（変形例３）を示すシーケンスである。
【０１７３】
ここで、第５の実施形態において、図１８に示す変形例３と上述した図１６に示す変形例１との主な違いも上述した変形例２と同様である。
【０１７４】
つまり、変形例３では、ＭＭＥ３００がマスタ基地局１００−１及びスレーブ基地局１００−２にＣｏＭＰ−ＲＮＴＩを通知している（Ｓ３８４、Ｓ３８５）。したがって、マスタ基地局１００−１は、端末２００のみにＣｏＭＰ−ＲＮＴＩを通知する（Ｓ３８６）。
【０１７５】
なお、図１８におけるＳ３６１〜Ｓ３９９の処理において、上述した各ステップ以外の処理については、上述した各通信処理例等における処理とほぼ同様の処理を行うため、ここでの具体的な説明は省略する。
【０１７６】
＜第６の実施形態＞
次に、第６の実施形態について説明する。第６の実施形態では、上りＣｏＭＰの場合を示している。ここで、上りＣｏＭＰと、上述した下りＣｏＭＰとの違いは、端末側で送信処理を実施し、主と従となる基地局で受信処理を実施する点にある。
【０１７７】
更に、上りＣｏＭＰ送信の制御は、主となる基地局（マスタ基地局）が制御する。すなわち、主となる基地局が端末に送信の許可を与える点も異なる。また、各端末から送信された上りパイロットを受信し、上り無線回線品質を測定・算出する。また、基地局は、上述した第１の実施形態におけるスケジューラ１０５により、この上り無線回線品質に基づいて、上りデータ送信を許可する端末の選択と、上りデータ送信の送信方法及び使用する無線リソースを選択する。また、基地局は、選択した結果に基づいて制御信号を作成し、端末に通知する。
【０１７８】
また、制御信号を受信した端末は、受信した制御信号に基づいてデータを符号化・変調し基地局に送信する。
【０１７９】
すなわち、上述した第１の実施形態では、送信側が送信方法を選択していたのに対して、第６の実施形態では、受信側である基地局が端末送信の送信方法を選択する。
【０１８０】
なお、基地局は、端末に対して、無線回線品質を測定算出するために、パイロットを送信するよう要求する。すなわち、ある端末が上りＣｏＭＰ伝送を実施することになった場合、マスタ基地局は、その端末に対してＣｏＭＰ−ＲＮＴＩを通知する。また、端末は、通知されたＣｏＭＰ−ＲＮＴＩを用いて、上述した実施形態と同様にスクランブリングコードの初期値を算出し、続いてスクランブリングコードを生成する。また、端末は、生成したスクランブリングコードを用いて送信データをスクランブリングして送信する。
【０１８１】
また、主となる基地局は、端末に通知したＣｏＭＰ−ＲＮＴＩを従となる基地局（スレーブ基地局）に通知する。ＣｏＭＰ−ＲＮＴＩの通知を受けたスレーブ基地局及び通知したマスタ基地局は、ＣｏＭＰ−ＲＮＴＩを用いてスクランブリングコードの初期値を算出し、続いてスクランブリングコードを生成する。また、スレーブ基地局及びマスタ基地局は、生成したスクランブリングコードを用いて、端末から送信されたそれぞれの基地局で受信波を復調した情報に対してデスクランブリングし、デスクランブリングした情報に対して復号しデータを取得する。
【０１８２】
なお、ＣｏＭＰ−ＲＮＴＩの選択・設定及びスクランブリングコードの初期値の算出は、例えば、上述した第１〜第５の実施形態を用いることができる。
【０１８３】
＜第６の実施形態：マスタ基地局１００−１の構成例＞
次に、上述した第６の実施形態を実現するマスタ基地局１００−１、スレーブ基地局１００−２、端末２００のブロック構成例について図を用いて説明する。なお、以下の説明では、上述した図２〜４に示す第１の実施形態におけるマスタ基地局１００−１、スレーブ基地局１００−２、端末２００とほぼ同様の機能を有するブロックについては、同一の符号を付するものとし、ここでの具体的な説明は省略する。
【０１８４】
図１９は、第６の実施形態におけるマスタ基地局のブロック構成例を示す図である。図１９に示すマスタ基地局１００−１Ｃは、アンテナ部１０１と、受信無線部１０２と、復調・復号部１０３と、スケジューラ１０５と、ＣｏＭＰ通信要求信号抽出部１０６と、制御部１０７と、接続要求信号抽出部１０８と、無線回線制御部１０９と、ＲＮＴＩ設定部１１０と、スクランブリングコード作成部１１２と、システム情報作成部１１３と、送信データバッファ１１４と、制御信号作成部１１５と、符号化・変調部１１６と、送信無線部１１７と、無線回線品質測定算出部１１８とを有する。
【０１８５】
第６の実施形態において、マスタ基地局１００−１Ｃのスケジューラ１０５は、上りＣｏＭＰ送信が可能かどうかを判断するために、上り無線回線品質を測定・算出する。そのため、スケジューラ１０５は、端末２００Ｃに対してパイロットを送信するよう要求するための制御信号の作成指示を制御信号作成部１１５に出力する。
【０１８６】
これを受けた制御信号作成部１１５は、パイロット送信要求制御信号を作成し、符号化・変調して端末２００Ｃに送信する。
【０１８７】
また、マスタ基地局１００−１Ｃは、これを受けて端末２００Ｃから送信されたパイロットを受信し、無線回線品質測定算出部１１８において、上り無線回線品質を測定・算出する。無線回線品質測定算出部１１８は、算出した結果を、制御部１０７に出力する。
【０１８８】
制御部１０７は、所定の基地局間インターフェース（Ｉ／Ｆ）を用いて、マスタ基地局１００−１Ｃに通知された他の基地局（例えば、スレーブ基地局）で測定・算出された無線回線品質を受信する。制御部１０７は、これらの無線回線品質に基づいて、上りＣｏＭＰの実施の可否を判定すると共に上りＣｏＭＰ伝送を受信するスレーブ基地局を選択する。
【０１８９】
続いて、制御部１０７は、上りＣｏＭＰ伝送を実施することになったことを無線回線制御部１０９に通知し、ＣｏＭＰ−ＲＮＴＩを設定し、スクランブリングコード作成部１１２とシステム情報作成部１１３に出力する。
【０１９０】
また、スクランブリングコード作成部１１２は、スクランブリングコードを作成し、作成したスクランブリングコードを復調・復号部１０３に出力する。復調・復号部１０３は、端末２００から送られたデータに対してデスクランブリングを行い、データを取得する。なお、その後の処理は、上述した下りＣｏＭＰ伝送の実施形態と同様であるため、ここでの説明は省略する。
【０１９１】
＜第６の実施形態：スレーブ基地局１００−２の構成例＞
図２０は、第６の実施形態におけるスレーブ基地局のブロック構成例を示す図である。図２０に示すスレーブ基地局１００−２Ｂは、アンテナ部１０１と、受信無線部１０２と、復調・復号部１０３と、スケジューラ１０５と、ＣｏＭＰ通信要求信号抽出部１０６と、制御部１０７と、スクランブリングコード作成部１１２と、送信データバッファ１１４と、制御信号作成部１１５と、符号化・変調部１１６と、送信無線部１１７と、無線回線品質測定算出部１１８とを有する。
【０１９２】
第６の実施形態において、スレーブ基地局１００−２Ｂは、上述したマスタ基地局１００−１Ｃと同様に、無線回線品質測定算出部１１８において、上り無線回線品質を測定・算出する。なお、第６の実施形態では、上りであるためデータ受信である点は、マスタ基地局１００−１Ｃと同じである。異なる点は、スレーブ基地局１００−２Ｂにおける無線回線品質測定算出部１１８は、測定・算出した無線回線品質を所定の基地局間インターフェース（Ｉ／Ｆ）を用いてマスタ基地局１００−１Ｃに通知する点である。
【０１９３】
また、スクランブリングコード作成部１１２は、スクランブリングコードを作成し、作成したスクランブリングコードを復調・復号部１０３に出力する。復調・復号部１０３は、端末２００から送られたデータに対してデスクランブリングを行い、データを取得する。
【０１９４】
＜第６の実施形態：端末２００の構成例＞
また、図２１は、第６の実施形態における端末の構成例を示す図である。図２１に示す端末２００Ｃは、アンテナ部２０１と、受信無線部２０２と、復調・復号部２０３と、算出部２０４と、無線回線品質情報作成部２０５と、スクランブリングコード作成部２０８と、受信制御信号抽出部２０９と、符号化・変調部２１４と、送信無線部２１５と、システム情報抽出部２１７と、送信／受信制御部２１８と、パイロット作成部２１９とを有する。
【０１９５】
端末２００Ｃは、マスタ基地局１００−１Ｃから通知された信号を復調・復号部２０３で復調・復号する。また、システム情報抽出部２１７は、復調・復号された信号からパイロット送信要求制御信号を抽出し、送信／受信制御部２１８に出力する。送信／受信制御部２１８は、パイロット作成部２１９に対してパイロット（Ｐｉｌｏｔ）の作成を要求する。パイロット作成部２１９が、パイロットを作成する。その後、パイロットは、符号化・変調部２１４で符号化・変調され、マスタ基地局１００−１Ｃ及びスレーブ基地局１００−２Ｂに送信される。
【０１９６】
スクランブリングコード作成部２０８は、送信データをスクランブリングするためのスクランブリングコードを作成し、符号化・変調部２１４に出力する。符号化・変調部２１４は、作成されたスクランブリングコードを用いて送信データのスクランブリングを行う。スクランブリングされた送信データは、マスタ基地局１００−１Ｃ及びスレーブ基地局１００−２Ｂに送信される。
【０１９７】
＜第６の実施形態における通信処理例＞
次に、第６の実施形態における通信処理例について説明する。図２２は、第６の実施形態における通信処理例を示すシーケンスである。図２２に示す例では、マスタ基地局１００−１による上りＣｏＭＰ（ＵＬ  ＣｏＭＰ）の実施判定を行う通信処理例を示している。
【０１９８】
また、端末（ＵＥ）２００（端末２００Ｃ）は、マスタ基地局（ｅＮＢ１）１００−１（マスタ基地局１００−１Ｃ）とスレーブ基地局（ｅＮＢ２）１００−２（スレーブ基地局１００−２Ｂ）の双方に通信接続可能な領域に位置しているものとする。
【０１９９】
なお、図２２の処理では、上述したＳ４０１〜Ｓ４０７の処理は、上述の実施形態と同様の処理を行うため、ここでの説明は省略する。
【０２００】
マスタ基地局１０１−１は、Ｓ４０７の処理におけるスケジューリング後、上り（ＵＬ（Ｕｐ  Ｌｉｎｋ））用の送信制御信号（ＵＬ送信制御信号）を端末２００へ送信する（Ｓ４０８）。
【０２０１】
端末２００は、ＵＬ送信制御信号を受信すると、送信信号処理を行い（Ｓ４０９）、送信データをマスタ基地局１００−１へ送信する（Ｓ４１０）。その後、マスタ基地局１００−１では、上りＣｏＭＰ（ＵＬ  ＣｏＭＰ）の送信判定を行い（Ｓ４１２）端末送信信号処理を行う（Ｓ４１１）。また、マスタ基地局１００−１は、端末２００に対してパイロット送信要求を通知する（Ｓ４１２）。
【０２０２】
端末２００は、マスタ基地局１００−１からのパイロット送信要求に基づいて、パイロット作成部２１９によりパイロットを作成し、マスタ基地局１００−１及びスレーブ基地局１００−２へパイロットを送信する（Ｓ４１３、Ｓ４１４）。
【０２０３】
次に、マスタ基地局１００−１及びスレーブ基地局１００−２は、それぞれ無線回線品質測定を行う（Ｓ４１６、Ｓ４１７）。また、スレーブ基地局１００−２は、無線回線品質（例えば、ＣＱＩ）をマスタ基地局１００−１へ送信する。マスタ基地局１００−１は、Ｓ４１６及びＳ４１８により得られた無線回線品質に基づいて、ＣｏＭＰを実施するセルを選択する。
【０２０４】
その後、マスタ基地局１００−１は、実施対象の基地局（例えば、スレーブ基地局１００−２）及び端末２００に対して、上りＣｏＭＰ実施通知を行う（Ｓ４２１、Ｓ４２２）。また、マスタ基地局１００−１は、実施対象の基地局（例えば、スレーブ基地局１００−２）及び端末２００に対して、ＣｏＭＰ―ＲＮＴＩ通知を行う（Ｓ４２２、Ｓ４２２）。これにより、スレーブ基地局１００−２と、端末２００とで回線設定を行う（Ｓ４２４）。また、マスタ基地局１００−１は、スレーブ基地局１００−２にセル情報等を通知する（Ｓ４２５）。
【０２０５】
その後、マスタ基地局１００−１及びスレーブ基地局１００−２において、スケジューリングを行い（Ｓ４２６、Ｓ４２７）、それぞれから作成されたＵＬ送信制御信号を端末２００に送信する（Ｓ４２８，Ｓ４２９）。端末２００は、各ＵＬ送信制御信号に基づいて送信信号処理（例えば、スクランブリング等）を行い（Ｓ４３０）、送信データをマスタ基地局１００−１及びスレーブ基地局１００−２へ送信する。
【０２０６】
また、端末からデータが送信されたマスタ基地局１００−１及びスレーブ基地局１００−２は、それぞれ受信信号処理（例えば、デスクランブリング等）を行う（Ｓ４３３，Ｓ４３４）。また、スレーブ基地局１００−２は、マスタ基地局１００−１に対して受信信号処理されたデータ等を転送する（Ｓ４３５）。
【０２０７】
＜第６の実施形態における通信処理例（変形例１）＞
次に、第６の実施形態における通信処理例（変形例１）について説明する。図２３は、第６の実施形態における通信処理例（変形例１）を示すシーケンスである。図２３に示す例では、端末２００による上りＣｏＭＰ（ＵＬ  ＣｏＭＰ）の実施判定を行う通信処理例を示している。以下の説明では、上述した図２２に示す通信処理例と異なる部分について説明する。
【０２０８】
図２３に示す変形例１において、端末２００は、送信データを送った後に（Ｓ４５０）、上りＣｏＭＰ（ＵＬ  ＣｏＭＰ）送信判定を行う（Ｓ４５２）。また、端末は、上り判定後、対象の基地局（例えば、マスタ基地局１００−１）に上りＣｏＭＰ送信要求を出力する（Ｓ４５３）。
【０２０９】
なお、図２３に示すＳ４４１〜Ｓ４７６の処理において、上述した各ステップ以外の処理については、上述した通信処理例（例えば、第６の実施形態の通信処理例）等における処理とほぼ同様の処理を行うため、ここでの具体的な説明は省略する。
【０２１０】
＜第６の実施形態における通信処理例（変形例２）＞
次に、第６の実施形態における通信処理例（変形例２）について説明する。図２４は、第６の実施形態における通信処理例（変形例２）を示すシーケンスである。図２４に示す例では、マスタ基地局１００−１による上りＣｏＭＰ（ＵＬ  ＣｏＭＰ）の実施判定を行い、更にマスタ基地局１００−１のみにおいて、スケジューリングを行う例を示している。以下の説明では、上述した図２２に示す通信処理例と異なる部分について説明する。
【０２１１】
マスタ基地局１０１−１は、Ｓ５０６の処理におけるスケジューリング後、ＵＬ送信制御信号をスレーブ基地局１００−２及び端末２００へ送信する（Ｓ５０７、Ｓ５０８）。端末２００は、受信したＵＬ送信制御信号に基づいて送信データの送信信号処理を行い（Ｓ５０９）、マスタ基地局１００−１及びスレーブ基地局１００−２へ送信する（Ｓ５１０、Ｓ５１１）。
【０２１２】
なお、図２４におけるＳ４８１〜Ｓ５１４の処理において、上述した各ステップ以外の処理については、上述した各通信処理例等における処理とほぼ同様の処理を行うため、ここでの具体的な説明は省略する。
【０２１３】
＜第７の実施形態＞
次に、第７の実施形態について説明する。第７の実施形態では、第４の実施形態にオフセットの項を追加する。
【０２１４】
例えば、上述した（６）式で算出した初期値で作成したＣｏＭＰ伝送用のスクランブリングコードと、ＰＤＳＣＨ用のスクランブリングコード及びＰＭＣＨ用のスクランブリングコードとは、相互に無相関である（または直交する）ことが望ましい。しかしながら、スクランブリングコードであるゴールド符号は、符号間で完全に無相関ではない。つまり、初期値の組み合わせによっては、相関が生じ、干渉となる恐れがある。
【０２１５】
そこで、上述した３のスクランブリングコード（ＣｏＭＰ伝送用、ＰＤＳＣＨ用、ＰＭＣＨ用）３つが互いに無相関、又はＣｏＭＰ用のスクランブリングコードが他の２つのスクランブリングコードに対して無相関に近づくように、ＣｏＭＰ用のスクランブリングコードを変える（シフトする）ことが望ましい。
【０２１６】
つまり、第７の実施形態では、上述したようにＣｏＭＰ伝送用のスクランブリングコードと他のスクランブリングコードとが無相関に近づけることにより、干渉が低減でき、その結果として伝送特性を改善することができる。なお、干渉は、与える場合と受ける場合とで表裏一体であることから、ＣｏＭＰ伝送の伝送特性が改善されれば、他方の通常のデータ伝送やＭＢＭＳデータ伝送の伝送特性も改善することができる。
【０２１７】
第７の実施形態では、ＣｏＭＰ伝送用のスクランブリングコードと他のスクランブリングコードとが無相関に近づくように、すなわち干渉が小さくなるにように、ＣｏＭＰ用のオフセットを選択し、上述した（６）式にオフセットの項を追加する。結果、以下に示す（７）式となる。
【０２１８】
【数８】
2012132016.tif 000010
これにより、通常の伝送方法で伝送されるＰＤＳＣＨや、ＰＭＣＨとの干渉を低減できる。その結果、第７の実施形態では、ＣｏＭＰの伝送品質及びＰＤＳＣＨやＰＭＣＨの伝送品質を改善できる。なお、オフセット（ＣｏＭＰ＿ｏｆｆｓｅｔ）は、例えば可変として基地局で設定した後に端末に通知してもよく、無線通信システムとして固定のオフセットとして基地局及び端末が保持してもよい。また、オフセット（ＣｏＭＰ＿ｏｆｆｓｅｔ）は、基地局から端末へシステム情報として通知してもよい。
【０２１９】
更に、第７の実施形態では、個別データを伝送するＰＤＳＣＨに対して行われるスクランブリングで使用するスクランブリングコード（以下、「コード１」と略す）と、ＭＢＭＳデータを伝送するＰＭＣＨに対して行われるスクランブリングで使用するスクランブリングコード（以下、「コード２」と略す）と、ＣｏＭＰ伝送で行われるスクランブリングで使用するスクランブリングコード（以下、「コード３」と略す）の３つのコードが互いに無相関（すなわち直交する）であり、容易に識別できることが望ましい。
【０２２０】
しかしながら、実際には相関が生じてしまい互いに干渉となってしまう。その結果、互いに干渉してしまう。これを少しでも緩和するために、すなわち相関が低いスクランブリングコードとなるように初期値の選択をしなければならない。その方法として、例えば、ＣｏＭＰ伝送で行われるスクランブリングが他のスクランブリングに対して相関が小さくなるようなコード３（又は複数のコード３）を抽出し、そのコード３が作成できるようにオフセットを事前に設定することにより、上記の３つのコード（コード１〜３）を設定する。
【０２２１】
なお、第７の実施形態では、例えば、複数の基地局から一つの端末へ異なるデータを同時又は時間で切り換えて送信する組を識別する送信識別情報として、ＣｏＭＰ伝送の番号ＣｏＭＰｎｕｍｂｅｒを設定し、上述したオフセットとして、又は代わりに以下に示す（８）式として使用してもよい。
【０２２２】
【数９】
2012132016.tif 000011
更に、第７の実施形態では、上述した第１の実施形態で示すように、ＣｏＭＰ−ＲＮＴＩの設定時には、上記オフセットを含むＣｏＭＰ−ＲＮＴＩ（ＣｏＭＰ−ＲＮＴＩ２）とすることで、他のコードに対する相関をなくすことができる。その場合には、以下の（９）、（１０）式となる。
【０２２３】
【数１０】
2012132016.tif 000012
【０２２４】
【数１１】
2012132016.tif 000013
＜第７の実施形態：マスタ基地局１００−１の構成例＞
次に、上述した第７の実施形態を実現するマスタ基地局１００−１のブロック構成例について図を用いて説明する。なお、以下の説明では、上述した図２に示すマスタ基地局１００−１とほぼ同様の機能を有するブロックについては、同一の符号を付するものとし、ここでの具体的な説明は省略する。
【０２２５】
図２５は、第７の実施形態におけるマスタ基地局のブロック構成例を示す図である。図２５に示すマスタ基地局１００−１Ｄは、アンテナ部１０１と、受信無線部１０２と、復調・復号部１０３と、無線回線品質情報抽出部１０４と、スケジューラ１０５と、接続要求信号抽出部１０８と、無線回線制御部１０９と、ＲＮＴＩ設定部１１０と、スクランブリングコード作成部１１２と、システム情報作成部１１３と、送信データバッファ１１４と、制御信号作成部１１５と、符号化・変調部１１６と、送信無線部１１７と、ＣｏＭＰ通信制御部１１９と、オフセット設定／記憶部１２０とを有する。
【０２２６】
図２５に示すマスタ基地局１００−１Ｄにおいて、ＣｏＭＰ通信制御部１１９は、無線回線品質情報抽出部１０４から得られる無線回線品質情報と、他の基地局（隣接基地局）から得られる無線回線情報とに基づいて、ＣｏＭＰ通信の実施を制御する。ＣｏＭＰ通信制御部１１９は、ＣｏＭＰを実施する場合に、そのＣｏＭＰ実施通知をスケジューラ１０５に出力する。
【０２２７】
また、無線回線制御部１０９は、接続要求信号抽出部１０８からの接続要求信号に基づいて、ＲＮＴＩ設定部１１０からＣｏＭＰ−ＲＮＴＩ等を取得し、システム情報作成部１１３に出力する。なお、第７の実施形態では、ＲＮＴＩ設定部１１０において、ＣｏＭＰ−ＲＮＴＩ等が設定されるものとするが、これに限定されるものではなく、例えば上述したようにＣｏＭＰ−ＲＮＴＩ設定部１１１によりＣｏＭＰ−ＲＮＴＩを取得してもよい。
【０２２８】
オフセット設定／記憶部１２０は、上述したオフセットが設定され、記憶されている。システム情報作成部１１３は、オフセット設定／記憶部１２０からオフセット情報を取得し、スクランブリングコード作成部１１２に出力する。これにより、スクランブリングコード作成部１１２は、上述したオフセットを用いてＣｏＭＰ伝送用のスクランブリングコードを作成する。したがって、第７の実施形態では、例えば、他のスクランブリングに対して相関が小さくなるスクランブリングコードを作成することができる。
【０２２９】
また、図２６は、第７の実施形態におけるマスタ基地局のブロック構成例（変形例１）を示す図である。図２６に示すマスタ基地局１００−１Ｅは、アンテナ部１０１と、受信無線部１０２と、復調・復号部１０３と、無線回線品質情報抽出部１０４と、スケジューラ１０５と、接続要求信号抽出部１０８と、無線回線制御部１０９と、ＲＮＴＩ設定部１１０と、スクランブリングコード作成部１１２と、システム情報作成部１１３と、送信データバッファ１１４と、制御信号作成部１１５と、符号化・変調部１１６と、送信無線部１１７と、ＣｏＭＰ通信制御部１１９とを有する。
【０２３０】
図２６に示すマスタ基地局１００−１Ｅおいて、無線回線制御部１０９は、ＲＮＴＩ設定部１１０から上述したオフセットを含むＣｏＭＰ−ＲＮＴＩ（ＣｏＭＰ−ＲＮＴＩ２）を取得する。これにより、スクランブリングコード作成部１１２は、オフセットを含むＣｏＭＰ−ＲＮＴＩ（ＣｏＭＰ−ＲＮＴＩ２）を用いてスクランンブリングコードを作成することで、他のコードに対する相関をなくすことができる。
【０２３１】
＜第７の実施形態：端末の構成例＞
次に、第７の実施形態における端末２００の構成例について図を用いて説明する。図２７は、第７の実施形態における端末の構成例を示す図である。なお、図２７に示す例では、上述した図５に示す端末２００Ｂとほぼ同様の機能を有するブロックについては、同一の符号を付するものとし、ここでの具体的な説明は省略する。
【０２３２】
図２７に示す端末２００Ｄは、アンテナ部２０１と、受信無線部２０２と、復調・復号部２０３と、算出部２０４と、無線回線品質情報作成部２０５と、セル情報抽出部２０６と、ＣｏＭＰ−ＲＮＴＩ抽出部２０７と、スクランブリングコード作成部２０８と、受信制御信号抽出部２０９と、端末設定制御部２１０と、受信電力測定部２１１と、回線接続制御部２１２と、接続要求信号作成部２１３、符号化・変調部２１４と、送信無線部２１５と、スロット番号抽出部２１６と、オフセット情報抽出部２２０とを有する。
【０２３３】
ここで、図２７に示す端末２００Ｄは、上述した第１の実施形態の変形例１における端末２００Ｄと比較してオフセット情報抽出部２２０を有する。
【０２３４】
オフセット情報抽出部２２０は、復調・復号部２０３から出力された受信信号から上述したオフセット情報を抽出する。また、オフセット情報抽出部２２０は、抽出したオフセット情報をスクランブリングコード生成部２０８に出力する。
【０２３５】
これにより、スクランブリングコード作成部２０８は、セル情報（例えば、セル番号、ＣｏＭＰ−ＲＮＴＩ、スロット番号、オフセット情報を含む）に基づいて、スクランブルコードの初期値を作成し、順次スクランブリングコードを作成する。スクランブリングコード作成部２０８は、作成したスクランブルコードを復調・復号部２０３に出力する。復調・復号部２０３は、スクランブリングコード作成部２０８から得られたスクランブリングコードを用いて受信データをデスクランブリングする。
【０２３６】
このように、第７の実施形態では、オフセット情報を用いてＣｏＭＰ伝送用のスクランブリングコードと他のスクランブリングコードとが無相関になるよう近づけることにより、干渉が低減でき、その結果として伝送特性を改善することができる。
【０２３７】
＜第７の実施形態における通信処理例＞
次に、第７の実施形態における通信処理例について説明する。図２８は、第７の実施形態における通信処理例を示すシーケンスである。図２８に示す例では、下り方向の動作例を示している。また、端末（ＵＥ）２００（端末２００Ｄ）は、マスタ基地局（ｅＮＢ１）１００−１（マスタ基地局１００−１Ｄ、１００−１Ｅ）とスレーブ基地局（ｅＮＢ２）１００−２の双方に通信接続可能な領域に位置しているものとする。
【０２３８】
なお、以下の説明では、上述した第１の実施形態における通信処理のシーケンスとの主な違いについて説明する。
【０２３９】
図２８に示す第７の実施形態と、上述した第１の実施形態との主な違いは、マスタ基地局１００−１からスレーブ基地局１００−２及び端末２００にオフセット等を通知している点である（Ｓ５４２、Ｓ５４３）。
【０２４０】
これにより、第７の実施形態では、オフセットを用いて、ＣｏＭＰ伝送用のスクランブリングコードと他のスクランブリングコードとが無相関に近づけることにより、干渉が低減でき、その結果として伝送特性を改善することができる。
【０２４１】
なお、図２８におけるＳ５２１〜Ｓ５５７の処理において、上述した各ステップ以外の処理については、上述した各通信処理例（例えば、第１の実施形態）等における処理とほぼ同様の処理を行うため、ここでの具体的な説明は省略する。
【０２４２】
＜第７の実施形態における通信処理例（変形例１）＞
次に、第７の実施形態における通信処理例（変形例１）について説明する。図２９は、第７の実施形態における通信処理例（変形例１）を示すシーケンスである。
【０２４３】
なお、以下の説明では、上述した第１の実施形態における通信処理のシーケンスとの主な違いについて説明する。
【０２４４】
図２９に示す第７の実施形態における変形例１は、上述した第１の実施形態における変形例５に示す基地局間同期を行う通信処理手順において、マスタ基地局１００−１からスレーブ基地局１００−２及び端末２００にオフセット等を通知している（Ｓ５９０、Ｓ５９１）。
【０２４５】
なお、図２９におけるＳ５６１〜Ｓ６０１の処理において、上述した各ステップ以外の処理については、上述した各通信処理例（例えば、第１の実施形態の変形例５）等における処理とほぼ同様の処理を行うため、ここでの具体的な説明は省略する。
【０２４６】
＜第７の実施形態における通信処理例（変形例２）＞
次に、第７の実施形態における通信処理例（変形例２）について説明する。図３０は、第７の実施形態における通信処理例（変形例２）を示すシーケンスである。
【０２４７】
図３０に示す第７の実施形態における変形例２と、上述した第１の実施形態との主な違いは、マスタ基地局１００−１からスレーブ基地局１００−２及び端末２００にオフセットを含むＣｏＭＰ−ＲＮＴＩ（ＣｏＭＰ−ＲＮＴＩ２）を通知している点である（Ｓ６2９、Ｓ６３０）。
【０２４８】
これにより、第７の実施形態では、オフセットを含むＣｏＭＰ−ＲＮＴＩを用いることで、ＣｏＭＰ伝送用のスクランブリングコードと他のスクランブリングコードとが無相関になるよう近づけることにより、干渉が低減でき、その結果として伝送特性を改善することができる。
【０２４９】
なお、図３０におけるＳ６１１〜Ｓ６４５の処理において、上述した各ステップ以外の処理については、上述した各通信処理例（例えば、第１の実施形態）等における処理とほぼ同様の処理を行うため、ここでの具体的な説明は省略する。
【０２５０】
＜第７の実施形態における通信処理例（変形例３）＞
次に、第７の実施形態における通信処理例（変形例３）について説明する。図３１は、第７の実施形態における通信処理例（変形例３）を示すシーケンスである。
【０２５１】
なお、以下の説明では、上述した第１の実施形態における通信処理のシーケンスとの主な違いについて説明する。
【０２５２】
図３１に示す第７の実施形態における変形例３は、上述した第１の実施形態における変形例５に示す基地局間同期を行う通信処理手順において、マスタ基地局１００−１からスレーブ基地局１００−２及び端末２００にオフセットを含むＣｏＭＰ−ＲＮＴＩ（ＣｏＭＰ−ＲＮＴＩ２）を通知している（Ｓ６７７、Ｓ６７８）。
【０２５３】
なお、図３１におけるＳ６５１〜Ｓ６８９の処理において、上述した各ステップ以外の処理については、上述した各通信処理例（例えば、第１の実施形態の変形例５）等における処理とほぼ同様の処理を行うため、ここでの具体的な説明は省略する。
【０２５４】
＜第８の実施形態＞
次に、第８の実施形態について説明する。第８の実施形態では、例えばＰＤＳＣＨ用の初期値算出式をベースにオフセットを追加する。
【０２５５】
上述した第７の実施形態では、ＰＤＳＣＨ用のスクランブリングコードとＰＭＣＨ用のスクランブリングコードに対し、ＣｏＭＰ用のスクランブリングコードの相関が小さくなるようにスクランブリングコードの初期値にオフセットを設けた。
【０２５６】
第８の実施形態では、例えば、ＰＤＳＣＨ用のスクランブリングコードの初期値算出式に対して、以下に示す（１１）式に示すように、オフセットＣｏＭＰ＿ｏｆｆｓｅｔ２の項を追加する。これにより、第８の実施形態では、従来のスクランブリングコードに対して相関の小さいＣｏＭＰ用のスクランブリングコードの作成を可能とする初期値の算出を設定する。
【０２５７】
【数１２】
2012132016.tif 000014
このように、上記により、他のＰＤＳＣＨ用及びＰＭＣＨ用のスクランブリングコードに対して相関の小さいＣｏＭＰ用のスクランブリングコードの作成が可能となる。
【０２５８】
ここで、第８の実施形態における基地局の装置構成としては、例えば、上述した図２５に示すマスタ基地局１００−１Ｄ等を用いることができる。このとき、無線回線制御部１０９は、ＲＮＴＩ設定部１１０からＲＮＴＩ、Ｃｅｌｌ  ＩＤ等を抽出し、抽出した情報をシステム情報作成部１１３に出力する。
【０２５９】
システム情報作成部１１３は、オフセット設定／記憶部１２０からオフセットを取得し、ＲＮＴＩ、Ｃｅｌｌ  ＩＤ、オフセット等をスクランブリングコード作成部１１２に出力する。これにより、スクランブリングコード作成部１１２は、オフセットを用いてスクランブリングコードの初期値にオフセットを設けて、スクランブリングコードを作成することができる。
【０２６０】
＜第８の実施形態における通信処理例＞
次に、第８の実施形態における通信処理例について説明する。図３２は、第８の実施形態における通信処理例を示すシーケンスである。図３２に示す例では、下り方向の動作例を示している。また、端末（ＵＥ）２００（端末２００Ｄ）は、マスタ基地局（ｅＮＢ１）１００−１（マスタ基地局１００−１Ｄ、１００−１Ｅ）とスレーブ基地局（ｅＮＢ２）１００−２の双方に通信接続可能な領域に位置しているものとする。
【０２６１】
なお、以下の説明では、上述した第７の実施形態の通信処理のシーケンスとの主な違いについて説明する。図３２において、マスタ基地局１００−１は、スレーブ基地局１００−２及び端末２００に対し、ＲＮＴＩ等を通知した後（Ｓ７０９、Ｓ７１０）、オフセット等を通知する（Ｓ７１２、Ｓ７１３）。
【０２６２】
なお、図３２におけるＳ６９１〜Ｓ７２７の処理において、上述した各ステップ以外の処理については、上述した各通信処理例（例えば、第７の実施形態）等における処理とほぼ同様の処理を行うため、ここでの具体的な説明は省略する。
【０２６３】
＜第８の実施形態における通信処理例（変形例１）＞
次に、第８の実施形態における通信処理例（変形例１）について説明する。図３３は、第８の実施形態における通信処理例（変形例１）を示すシーケンスである。
【０２６４】
なお、以下の説明では、上述した第７の実施形態における変形例１の通信処理のシーケンスとの主な違いについて説明する。図３３に示す変形例１では、マスタ基地局１００−１は、スレーブ基地局１００−２及び端末２００に対し、ＲＮＴＩ等を通知した後（Ｓ７５７、Ｓ７５８）、オフセット等を通知する（Ｓ７６０、Ｓ７６１）。
【０２６５】
なお、図３３におけるＳ７３１〜Ｓ７７１の処理において、上述した各ステップ以外の処理については、上述した各通信処理例（例えば、第７の実施形態の変形例１）等における処理とほぼ同様の処理を行うため、ここでの具体的な説明は省略する。
【０２６６】
これにより、第８の実施形態では、オフセットを用いて、他のスクランブリングコードとの相関を無相関に近づけることにより、干渉が低減でき、その結果として伝送特性を改善することができる。
【０２６７】
＜第９の実施形態＞
次に、第９の実施形態について説明する。第９の実施形態では、スクランブリングコードの初期値算出式のＣｅｌｌ  ＩＤの項を削除し、オフセットを追加する。つまり、第９の実施形態では、初期値算出式から物理セルＩＤを削除する。なお、上述した実施形態と同様に相関を低くするため、以下に示す（１２）式に示すように、オフセットＣｏＭＰ＿ｏｆｆｓｅｔ３の項を追加する。
【０２６８】
【数１３】
2012132016.tif 000015
これにより、他のＰＤＳＣＨ用及びＰＭＣＨ用のスクランブリングコードに対して相関の小さいＣｏＭＰ用のスクランブリングコードの作成が可能となる。
【０２６９】
ここで、第９の実施形態における基地局の装置構成としては、例えば、上述した図２５に示すマスタ基地局１００−１Ｄ等を用いることができるが、これに限定されるものではない。このとき、無線回線制御部１０９は、ＲＮＴＩ設定部１１０からＲＮＴＩ等を抽出し、抽出した情報をシステム情報作成部１１３に出力する。つまり、第９の実施形態では、Ｃｅｌｌ  ＩＤの通知は行わない。
【０２７０】
＜第１０の実施形態＞
次に、第１０の実施形態について説明する。第１０の実施形態では、スクランブリングコードの初期値算出式のスロット番号の項を削除し、オフセットを追加する。
【０２７１】
つまり、第１０の実施形態では、初期値算出式から物理セルＩＤを削除する。なお、上述した実施形態と同様に相関を低くするため、以下に示す（１３）式に示すように、オフセットＣｏＭＰ＿ｏｆｆｓｅｔ４の項を追加する。
【０２７２】
【数１４】
2012132016.tif 000016
これにより、他のＰＤＳＣＨ用及びＰＭＣＨ用のスクランブリングコードに対して相関の小さいＣｏＭＰ用のスクランブリングコードの作成が可能となる。
【０２７３】
ここで、第１０の実施形態における基地局の装置構成としては、例えば、上述した図２５に示すマスタ基地局１００−１Ｄ等を用いることができるが、これに限定されるものではない。このとき、スケジューラ１０５は、スクランブリングコード作成部１１２に対してスロット番号の通知は行わない。
【０２７４】
＜第１１の実施形態＞
次に、第１１の実施形態について説明する。第１１の実施形態では、スクランブリングコードの初期値算出式からＣｅｌｌ  ＩＤ及びスロット番号の項を削除し、オフセットを追加する。
【０２７５】
第１１の実施形態では、スクランブリングコードの初期値算出式からスロット番号及び物理セルＩＤを削除する。なお、上述した実施形態と同様に相関を低くするため、以下に示す（１４）式に示すように、オフセットＣｏＭＰ＿ｏｆｆｓｅｔ５の項を追加する。
【０２７６】
【数１５】
2012132016.tif 000017
これにより、他のＰＤＳＣＨ用及びＰＭＣＨ用のスクランブリングコードに対して相関の小さいＣｏＭＰ用のスクランブリングコードの作成が可能となる。
【０２７７】
更に、第１１の実施形態では、定数項ｑ・２１３を削除してもよい。この場合にも上述と同様に相関を低くするため、以下に示す（１５）式に示すように、オフセットＣｏＭＰ＿ｏｆｆｓｅｔ６の項を追加する。
【０２７８】
【数１６】
2012132016.tif 000018
ここで、第１１の実施形態における基地局の装置構成としては、例えば、上述した図２５に示すマスタ基地局１００−１Ｄ等を用いることができるが、これに限定されるものではない。
【０２７９】
＜第１２の実施形態＞
次に、第１２の実施形態について説明する。図１２の実施形態では、上述したオフセットを上りＣｏＭＰにも適用する。つまり、第１２の実施形態では、上述した第６の実施形態に示す上りＣｏＭＰの場合においてもオフセットを用いて、他のスクランブリングコードとの相関を無相関に近づける。これにより、干渉が低減でき、その結果として伝送特性を改善することができる。なお、第１２の実施形態における基地局及び端末の構成については、例えば、上述した第６の実施形態における基地局及び端末の構成を用いることができるが、これに限定されるものではない。
【０２８０】
＜第１２の実施形態における通信処理例＞
次に、第１２の実施形態における通信処理例について説明する。図３４は、第１２の実施形態における通信処理例を示すシーケンスである。図３４に示す例では、マスタ基地局１００−１による上りＣｏＭＰ（ＵＬ  ＣｏＭＰ）の実施判定を行う通信処理例を示している。
【０２８１】
なお、以下の説明では、上述した第６の実施形態の通信処理のシーケンスとの主な違いについて説明する。図３４に示す例では、マスタ基地局（ｅＮＢ１）１００−１からスレーブ基地局（ｅＮＢ２）１００−２に対してセル（Ｃｅｌｌ）情報を通知する際、オフセット等も通知する（Ｓ８０５）。
【０２８２】
なお、図３４におけるＳ７８１〜Ｓ８１５の処理において、上述した各ステップ以外の処理については、上述した各通信処理例（例えば、第６の実施形態）等における処理とほぼ同様の処理を行うため、ここでの具体的な説明は省略する。
【０２８３】
＜第１２の実施形態における通信処理例（変形例１）＞
次に、第１２の実施形態における通信処理例（変形例１）について説明する。図３５は、第１２の実施形態における通信処理例（変形例１）を示すシーケンスである。図３５に示す例では、図３４と同様にマスタ基地局１００−１による上りＣｏＭＰ（ＵＬ  ＣｏＭＰ）の実施判定を行う通信処理例を示している。
【０２８４】
なお、以下の説明では、上述した図３４に示す通信処理のシーケンスとの主な違いについて説明する。図３５に示す変形例１では、マスタ基地局（ｅＮＢ１）１００−１からスレーブ基地局（ｅＮＢ２）１００−２及び端末（ＵＥ）２００に対してオフセットを含むＣｏＭＰ−ＲＮＴＩ（ＣｏＭＰ−ＲＮＴＩ２）を通知する（Ｓ８４２，Ｓ８４３）。
【０２８５】
なお、図３５におけるＳ８２１〜Ｓ８５４の処理において、上述した各ステップ以外の処理については、上述した各通信処理例（例えば、図３４に示す通信処理例）等における処理とほぼ同様の処理を行うため、ここでの具体的な説明は省略する。
【０２８６】
これにより、第１２の実施形態では、オフセットを用いて、他のスクランブリングコードと無相関に近づけることにより、干渉が低減でき、その結果として伝送特性を改善することができる。
【０２８７】
上述した各実施形態によれば、例えば、端末又は基地局において処理の軽減を図ることができる。また、上述した各実施形態によれば、端末又は基地局において消費電力の削減を図ることができる。更に、上述した各実施形態によれば、例えば、ＣｏＭＰ伝送を実施する従属する基地局におけるスクランブリングコードの初期値算出の通知に必要な情報量を削減することができる。また、上述した各実施形態によれば、例えば、ＣｏＭＰ伝送を実施する基地局及び端末におけるスクランブリングコードの初期値算出処理を軽減することができる。
【０２８８】
また、上述した実施例で説明した通信処理を実現するためのプログラムを記録媒体に記録することで、実施例での通信処理をコンピュータに実施させることができる。
【０２８９】
また、このプログラムを記録媒体に記録し、このプログラムが記録された記録媒体をコンピュータや携帯端末装置に読み取らせて、上述した制御処理を実現させることも可能である。なお、記録媒体は、ＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【０２９０】
以上、実施例について詳述したが、特定の実施例に限定されるものではなく、特許請求の範囲に記載された範囲内において、種々の変形及び変更が可能である。また、上述した実施例の構成要素を全部又は複数を組み合わせることも可能である。
【図１】
2012132016.tif 000019
【図２】
2012132016.tif 000020
【図３】
2012132016.tif 000021
【図４】
2012132016.tif 000022
【図５】
2012132016.tif 000023
【図６】
2012132016.tif 000024
【図７】
2012132016.tif 000025
【図８】
2012132016.tif 000026
【図９】
2012132016.tif 000027
【図１０】
2012132016.tif 000028
【図１１】
2012132016.tif 000029
【図１２】
2012132016.tif 000030
【図１３】
2012132016.tif 000031
【図１４】
2012132016.tif 000032
【図１５】
2012132016.tif 000033
【図１６】
2012132016.tif 000034
【図１７】
2012132016.tif 000035
【図１８】
2012132016.tif 000036
【図１９】
2012132016.tif 000037
【図２０】
2012132016.tif 000038
【図２１】
2012132016.tif 000039
【図２２】
2012132016.tif 000040
【図２３】
2012132016.tif 000041
【図２４】
2012132016.tif 000042
【図２５】
2012132016.tif 000043
【図２６】
2012132016.tif 000044
【図２７】
2012132016.tif 000045
【図２８】
2012132016.tif 000046
【図２９】
2012132016.tif 000047
【図３０】
2012132016.tif 000048
【図３１】
2012132016.tif 000049
【図３２】
2012132016.tif 000050
【図３３】
2012132016.tif 000051
【図３４】
2012132016.tif 000052
【図３５】
2012132016.tif 000053
【手続補正書】
【提出日】平成25年9月17日(2013.9.17)
【手続補正１】
【補正対象書類名】明細書
【補正対象項目名】０１８５
【補正方法】変更
【補正の内容】
【０１８５】
第６の実施形態において、マスタ基地局１００−１Ｃのスケジューラ１０５は、上りＣｏＭＰ送信が可能かどうかを判断するために、上り無線回線品質を図１９の無線回線品質測定算出部１１８で測定・算出した結果を基にスケジューリングを行う。そのため、スケジューラ１０５は、端末２００Ｃに対してパイロットを送信するよう要求するための制御信号の作成指示を制御信号作成部１１５に出力する。
【手続補正２】
【補正対象書類名】明細書
【補正対象項目名】０２０１
【補正方法】変更
【補正の内容】
【０２０１】
端末２００は、ＵＬ送信制御信号を受信すると、送信信号処理を行い（Ｓ４０９）、送信データをマスタ基地局１００−１へ送信する（Ｓ４１０）。その後、マスタ基地局１００−１では、受信信号処理を行い（Ｓ４１１）、上りＣｏＭＰ（ＵＬ  ＣｏＭＰ）の送信判定を行い、端末送信信号処理を行う（Ｓ４１２）。また、マスタ基地局１００−１は、端末２００に対してパイロット送信要求を通知する（Ｓ４１３）。
【手続補正３】
【補正対象書類名】明細書
【補正対象項目名】０２０２
【補正方法】変更
【補正の内容】
【０２０２】
端末２００は、マスタ基地局１００−１からのパイロット送信要求に基づいて、パイロット作成部２１９によりパイロットを作成し、マスタ基地局１００−１及びスレーブ基地局１００−２へパイロットを送信する（Ｓ４１４、Ｓ４１５）。
【手続補正４】
【補正対象書類名】明細書
【補正対象項目名】０２０３
【補正方法】変更
【補正の内容】
【０２０３】
次に、マスタ基地局１００−１及びスレーブ基地局１００−２は、それぞれ無線回線品質測定を行う（Ｓ４１６、Ｓ４１７）。また、スレーブ基地局１００−２は、無線回線品質（例えば、ＣＱＩ）をマスタ基地局１００−１へ送信する。マスタ基地局１００−１は、Ｓ４１６及びＳ４１８により得られた無線回線品質に基づいて、ＣｏＭＰを実施するセルを選択する（Ｓ４１９）。
【手続補正５】
【補正対象書類名】明細書
【補正対象項目名】０２０４
【補正方法】変更
【補正の内容】
【０２０４】
その後、マスタ基地局１００−１は、実施対象の基地局（例えば、スレーブ基地局１００−２）及び端末２００に対して、上りＣｏＭＰ実施通知を行う（Ｓ４２０、Ｓ４２１）。また、マスタ基地局１００−１は、実施対象の基地局（例えば、スレーブ基地局１００−２）及び端末２００に対して、ＣｏＭＰ―ＲＮＴＩ通知を行う（Ｓ４２２、Ｓ４２３）。これにより、スレーブ基地局１００−２と、端末２００とで回線設定を行う（Ｓ４２４）。また、マスタ基地局１００−１は、スレーブ基地局１００−２にセル情報等を通知する（Ｓ４２５）。
【手続補正６】
【補正対象書類名】明細書
【補正対象項目名】０２３１
【補正方法】変更
【補正の内容】
【０２３１】
＜第７の実施形態：端末の構成例＞
次に、第７の実施形態における端末２００Ｄの構成例について図を用いて説明する。図２７は、第７の実施形態における端末の構成例を示す図である。なお、図２７に示す例では、上述した図５に示す端末２００Ｂとほぼ同様の機能を有するブロックについては、同一の符号を付するものとし、ここでの具体的な説明は省略する。
【手続補正７】
【補正対象書類名】明細書
【補正対象項目名】０２８７
【補正方法】変更
【補正の内容】
【０２８７】
上述した各実施形態によれば、例えば、端末又は基地局において処理の軽減を図ることができる。また、上述した各実施形態によれば、端末又は基地局において消費電力の削減を図ることができる。更に、上述した各実施形態によれば、例えば、ＣｏＭＰ伝送を実施する従属する基地局におけるスクランブリングコードの初期値算出に必要な情報量を削減することができる。また、上述した各実施形態によれば、例えば、ＣｏＭＰ伝送を実施する基地局及び端末におけるスクランブリングコードの初期値算出処理を軽減することができる。
【国際調査報告】
2012132016.tif 000054
2012132016.tif 000055